(57)【要約】  本開示のいくつかの態様は、残存最小システム情報（ＲＭＳＩ）制御リソースセット（ＣＯＲＥＳＥＴ）および他のシステム情報（ＯＳＩ）ＣＯＲＥＳＥＴのための設計に関係する技法および装置を提供する。いくつかの態様では、ワイヤレス通信デバイス（たとえば、ユーザ機器）は、周波数領域および時間領域中での同期信号ブロック（ＳＳＢ）送信のロケーションに基づいて周波数領域および時間領域中でのタイプ０  ＰＤＣＣＨ共通探索空間ＣＯＲＥＳＥＴとＯＳＩ  ＣＯＲＥＳＥＴとのロケーションを決定することを可能にされる。ＲＭＳＩ  ＣＯＲＥＳＥＴおよびＯＳＩ  ＣＯＲＥＳＥＴ周波数および時間リソースのロケーションを決定することにより、ＵＥは、それぞれ、ＲＭＳＩ  ＣＯＲＥＳＥＴおよびＯＳＩ  ＣＯＲＥＳＥＴを受信することが可能になる。【選択図】図２０
2021503785.tif 000002
【特許請求の範囲】
【請求項１】
ユーザ機器（ＵＥ）によるワイヤレス通信のための方法であって、
タイプ０物理ダウンリンク制御チャネル（ＰＤＣＣＨ）共通探索空間制御リソースセット（ＣＯＲＥＳＥＴ）時間リソースへの同期信号ブロック（ＳＳＢ）時間リソースのマッピングを記憶することと、
ＳＳＢ時間リソースのインジケーションを受信することと、
前記マッピングと前記インジケーションとに基づいてタイプ０  ＰＤＣＣＨ共通探索空間ＣＯＲＥＳＥＴ時間リソースのロケーションを決定することと、
タイプ０  ＰＤＣＣＨ共通探索空間ＣＯＲＥＳＥＴ中でタイプ０  ＰＤＣＣＨを受信することと
を備える、方法。
【請求項２】
タイプ０  ＰＤＣＣＨ共通探索空間ＣＯＲＥＳＥＴ時間リソースのロケーションを決定することは、前記タイプ０  ＰＤＣＣＨ共通探索空間ＣＯＲＥＳＥＴが送信される周波数リソースにさらに基づく、
請求項１に記載の方法。
【請求項３】
タイプ０  ＰＤＣＣＨ共通探索空間ＣＯＲＥＳＥＴ時間リソースのロケーションを決定することは、前記タイプ０  ＰＤＣＣＨ共通探索空間ＣＯＲＥＳＥＴの持続時間にさらに基づく、
請求項１に記載の方法。
【請求項４】
タイプ０  ＰＤＣＣＨ共通探索空間ＣＯＲＥＳＥＴ時間リソースのロケーションを決定することは、前記ＳＳＢのサブキャリア間隔と前記タイプ０  ＰＤＣＣＨ共通探索空間ＣＯＲＥＳＥＴのサブキャリア間隔とにさらに基づく、
請求項１に記載の方法。
【請求項５】
タイプ０  ＰＤＣＣＨ共通探索空間ＣＯＲＥＳＥＴ時間リソースの前記ロケーションは、前記タイプ０  ＰＤＣＣＨ共通探索空間ＣＯＲＥＳＥＴ時間リソースが多重化されるダウンリンク時間リソースに対応する、
請求項１に記載の方法。
【請求項６】
前記ダウンリンク時間リソースは、１つまたは複数のＳＳＢ時間リソースのみを含んでいる、
請求項５に記載の方法。
【請求項７】
前記ダウンリンク時間リソースは、１つまたは複数のＳＳＢ時間リソースを備えるダウンリンク時間リソースの第１のセットとＳＳＢ時間リソースを備えないダウンリンク時間リソースの第２のセットとを備え、前記タイプ０  ＰＤＣＣＨ共通探索空間ＣＯＲＥＳＥＴ時間リソースは、最初に、ダウンリンク時間リソースの前記第１のセットにマッピングされ、次いで、ダウンリンク時間リソースの前記第２のセットにマッピングされる、
請求項５に記載の方法。
【請求項８】
前記ダウンリンク時間リソースは、ＳＳＢ時間リソースを含んでいない、
請求項５に記載の方法。
【請求項９】
前記マッピングは、前記ＳＳＢ時間リソースと前記タイプ０  ＰＤＣＣＨ共通探索空間ＣＯＲＥＳＥＴ時間リソースとの間での１対１のマッピングを備える、
請求項１に記載の方法。
【請求項１０】
前記マッピングは、前記ＳＳＢ時間リソースと前記タイプ０  ＰＤＣＣＨ共通探索空間ＣＯＲＥＳＥＴ時間リソースとの間での多対１のマッピングを備える、
請求項１に記載の方法。
【請求項１１】
装置であって、
実行可能命令を備える非一時的メモリと、
前記メモリとデータ通信するプロセッサと
を備え、前記プロセッサは、前記装置に、
タイプ０物理ダウンリンク制御チャネル（ＰＤＣＣＨ）共通探索空間制御リソースセット（ＣＯＲＥＳＥＴ）時間リソースへの同期信号ブロック（ＳＳＢ）時間リソースのマッピングを記憶することと、
ＳＳＢ時間リソースのインジケーションを受信することと、
前記マッピングと前記インジケーションとに基づいてタイプ０  ＰＤＣＣＨ共通探索空間ＣＯＲＥＳＥＴ時間リソースのロケーションを決定することと、
タイプ０  ＰＤＣＣＨ共通探索空間ＣＯＲＥＳＥＴ中でタイプ０  ＰＤＣＣＨを受信することと
を行わせるために前記命令を実行するように構成される、装置。
【請求項１２】
タイプ０  ＰＤＣＣＨ共通探索空間ＣＯＲＥＳＥＴ時間リソースのロケーションを決定することは、前記タイプ０  ＰＤＣＣＨ共通探索空間ＣＯＲＥＳＥＴが送信される周波数リソースにさらに基づく、
請求項１１に記載の装置。
【請求項１３】
タイプ０  ＰＤＣＣＨ共通探索空間ＣＯＲＥＳＥＴ時間リソースのロケーションを決定することは、前記タイプ０  ＰＤＣＣＨ共通探索空間ＣＯＲＥＳＥＴの持続時間にさらに基づく、
請求項１１に記載の装置。
【請求項１４】
タイプ０  ＰＤＣＣＨ共通探索空間ＣＯＲＥＳＥＴ時間リソースのロケーションを決定することは、前記ＳＳＢのサブキャリア間隔と前記タイプ０  ＰＤＣＣＨ共通探索空間ＣＯＲＥＳＥＴのサブキャリア間隔とにさらに基づく、
請求項１１に記載の装置。
【請求項１５】
タイプ０  ＰＤＣＣＨ共通探索空間ＣＯＲＥＳＥＴ時間リソースの前記ロケーションは、前記タイプ０  ＰＤＣＣＨ共通探索空間ＣＯＲＥＳＥＴ時間リソースが多重化されるダウンリンク時間リソースに対応する、
請求項１１に記載の装置。
【請求項１６】
前記ダウンリンク時間リソースは、１つまたは複数のＳＳＢ時間リソースのみを含んでいる、
請求項１５に記載の装置。
【請求項１７】
前記ダウンリンク時間リソースは、１つまたは複数のＳＳＢ時間リソースを備えるダウンリンク時間リソースの第１のセットとＳＳＢ時間リソースを備えないダウンリンク時間リソースの第２のセットとを備え、前記タイプ０  ＰＤＣＣＨ共通探索空間ＣＯＲＥＳＥＴ時間リソースは、最初に、ダウンリンク時間リソースの前記第１のセットにマッピングされ、次いで、ダウンリンク時間リソースの前記第２のセットにマッピングされる、
請求項１５に記載の装置。
【請求項１８】
前記ダウンリンク時間リソースは、ＳＳＢ時間リソースを含んでいない、
請求項１５に記載の装置。
【請求項１９】
前記マッピングは、前記ＳＳＢ時間リソースと前記タイプ０  ＰＤＣＣＨ共通探索空間ＣＯＲＥＳＥＴ時間リソースとの間での１対１のマッピングを備える、
請求項１１に記載の装置。
【請求項２０】
前記マッピングは、前記ＳＳＢ時間リソースと前記タイプ０  ＰＤＣＣＨ共通探索空間ＣＯＲＥＳＥＴ時間リソースとの間での多対１のマッピングを備える、
請求項１１に記載の装置。
【請求項２１】
装置であって、
タイプ０物理ダウンリンク制御チャネル（ＰＤＣＣＨ）共通探索空間制御リソースセット（ＣＯＲＥＳＥＴ）時間リソースへの同期信号ブロック（ＳＳＢ）時間リソースのマッピングを記憶するための手段と、
ＳＳＢ時間リソースのインジケーションを受信するための手段と、
前記マッピングと前記インジケーションとに基づいてタイプ０  ＰＤＣＣＨ共通探索空間ＣＯＲＥＳＥＴ時間リソースのロケーションを決定するための手段と、
タイプ０  ＰＤＣＣＨ共通探索空間ＣＯＲＥＳＥＴ中でタイプ０  ＰＤＣＣＨを受信するための手段と
を備える、装置。
【請求項２２】
タイプ０  ＰＤＣＣＨ共通探索空間ＣＯＲＥＳＥＴ時間リソースのロケーションを決定することは、前記タイプ０  ＰＤＣＣＨ共通探索空間ＣＯＲＥＳＥＴが送信される周波数リソースにさらに基づく、
請求項２１に記載の装置。
【請求項２３】
タイプ０  ＰＤＣＣＨ共通探索空間ＣＯＲＥＳＥＴ時間リソースのロケーションを決定することは、前記タイプ０  ＰＤＣＣＨ共通探索空間ＣＯＲＥＳＥＴの持続時間にさらに基づく、
請求項２１に記載の装置。
【請求項２４】
タイプ０  ＰＤＣＣＨ共通探索空間ＣＯＲＥＳＥＴ時間リソースのロケーションを決定することは、前記ＳＳＢのサブキャリア間隔と前記タイプ０  ＰＤＣＣＨ共通探索空間ＣＯＲＥＳＥＴのサブキャリア間隔とにさらに基づく、
請求項２１に記載の装置。
【請求項２５】
タイプ０物理ダウンリンク制御チャネル（ＰＤＣＣＨ）共通探索空間制御リソースセット（ＣＯＲＥＳＥＴ）時間リソースへの同期信号ブロック（ＳＳＢ）時間リソースのマッピングを記憶することと、
ＳＳＢ時間リソースのインジケーションを受信することと、
前記マッピングと前記インジケーションとに基づいてタイプ０  ＰＤＣＣＨ共通探索空間ＣＯＲＥＳＥＴ時間リソースのロケーションを決定することと、
タイプ０  ＰＤＣＣＨ共通探索空間ＣＯＲＥＳＥＴ中でタイプ０  ＰＤＣＣＨを受信することと
を備える方法を実行するための命令をその上に記憶した非一時的コンピュータ可読媒体。
【請求項２６】
タイプ０  ＰＤＣＣＨ共通探索空間ＣＯＲＥＳＥＴ時間リソースのロケーションを決定することは、前記タイプ０  ＰＤＣＣＨ共通探索空間ＣＯＲＥＳＥＴが送信される周波数リソースにさらに基づく、
請求項２５に記載の非一時的コンピュータ可読媒体。
【請求項２７】
タイプ０  ＰＤＣＣＨ共通探索空間ＣＯＲＥＳＥＴ時間リソースのロケーションを決定することは、前記タイプ０  ＰＤＣＣＨ共通探索空間ＣＯＲＥＳＥＴの持続時間にさらに基づく、
請求項２５に記載の非一時的コンピュータ可読媒体。
【請求項２８】
タイプ０  ＰＤＣＣＨ共通探索空間ＣＯＲＥＳＥＴ時間リソースのロケーションを決定することは、前記ＳＳＢのサブキャリア間隔と前記タイプ０  ＰＤＣＣＨ共通探索空間ＣＯＲＥＳＥＴのサブキャリア間隔とにさらに基づく、
請求項２５に記載の非一時的コンピュータ可読媒体。
【請求項２９】
ユーザ機器（ＵＥ）によるワイヤレス通信のための方法であって、
物理ダウンリンク共有チャネル（ＰＤＳＣＨ）中でのタイプ０物理ダウンリンク制御チャネル（ＰＤＣＣＨ）共通探索空間制御リソースセット（ＣＯＲＥＳＥＴ）の時間ロケーションを決定することと、 
前記タイプ０  ＰＤＣＣＨ共通探索空間ＣＯＲＥＳＥＴの前記周波数ロケーションに基づいて前記ＰＤＳＣＨ中でのタイプ０ａ物理ダウンリンク制御共通探索空間ＣＯＲＥＳＥＴの時間ロケーションを決定することと、
前記タイプ０ａ  ＰＤＣＣＨ共通探索空間ＣＯＲＥＳＥＴを受信することと
を備える、方法。
【請求項３０】
タイプ０  ＰＤＣＣＨ共通探索空間ＣＯＲＥＳＥＴの前記時間ロケーションを決定することは、
タイプ０物理ダウンリンク制御チャネル（ＰＤＣＣＨ）共通探索空間制御リソースセット（ＣＯＲＥＳＥＴ）時間リソースへの同期信号ブロック（ＳＳＢ）時間リソースのマッピングを記憶することと、
ＳＳＢ時間リソースのインジケーションを受信することと、
前記マッピングと前記インジケーションとに基づいてタイプ０  ＰＤＣＣＨ共通探索空間ＣＯＲＥＳＥＴ時間リソースの前記時間ロケーションを決定することと
をさらに備える、請求項２９に記載の方法。
【発明の詳細な説明】
【関連出願の相互参照】
【０００１】
[0001]本出願は、２０１７年１１月１７日に出願された「ＤＥＳＩＧＮＳ  ＦＯＲ  ＲＥＭＡＩＮＩＮＧ  ＭＩＮＩＭＵＭ  ＳＹＳＴＥＭ  ＩＮＦＯＲＭＡＴＩＯＮ  （ＲＭＳＩ）  ＣＯＮＴＲＯＬ  ＲＥＳＯＵＲＣＥ  ＳＥＴ  （ＣＯＲＥＳＥＴ）  ＡＮＤ  ＯＴＨＥＲ  ＳＹＳＴＥＭ  ＩＮＦＯＲＭＡＴＩＯＮ  （ＯＳＩ）  ＣＯＲＥＳＥＴ」と題する米国出願第６２／５８８，２４５号の優先権および利益を主張する２０１８年１０月２５日に出願された米国出願第１６／１７０，５７２号の優先権を主張する。上述の出願の全体が参照により本明細書に組み込まれる。
【技術分野】
【０００２】
[0002]本開示の態様は、一般にワイヤレス通信システムに関し、より詳細には、残存最小システム情報（ＲＭＳＩ）制御リソースセット（ＣＯＲＥＳＥＴ）と他のシステム情報（ＯＳＩ）ＣＯＲＥＳＥＴとのための設計に関する。
【背景技術】
【０００３】
[0003]ワイヤレス通信システムは、電話、ビデオ、データ、データ、メッセージング、ブロードキャストなど、様々な電気通信サービスを提供するために広く展開されている。システムは、利用可能なシステムリソース（たとえば、帯域幅および送信電力）を共有することによって複数のユーザとの通信をサポートすることが可能な多元接続技術を採用し得る。そのような多元接続システムの例には、第３世代パートナーシッププロジェクト（３ＧＰＰ（登録商標））ロングタームエボリューション（ＬＴＥ（登録商標））システム、ＬＴＥアドバンスト（ＬＴＥ−Ａ）システム、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムが含まれる。
【０００４】
[0004]いくつかの例では、ワイヤレス多元接続通信システムは、場合によってはユーザ機器（ＵＥ）として知られる、複数の通信デバイスのための通信を各々が同時にサポートすることができるいくつかの基地局（ＢＳ）を含み得る。ＬＴＥネットワークまたはＬＴＥ−Ａネットワークでは、１つまたは複数の基地局のセットがｅノードＢ（ｅＮＢ）を定義することができる。他の例では（たとえば、ＮＲ、次世代ネットワークまたは５Ｇネットワークでは）、ワイヤレス多元接続通信システムは、いくつかの中央ユニット（ＣＵ）（たとえば、中央ノード（ＣＮ）、アクセスノードコントローラ（ＡＮＣ）など）と通信しているいくつかの分散ユニット（ＤＵ）（たとえば、エッジユニット（ＥＵ）、エッジノード（ＥＮ）、無線ヘッド（ＲＨ）、スマート無線ヘッド（ＳＲＨ）、送受信点（ＴＲＰ）など）を含み得、中央ユニットと通信している１つまたは複数の分散ユニットのセットは、アクセスノード（たとえば、新無線基地局（ＮＲ  ＢＳ）、新無線ノードＢ（ＮＲ  ＮＢ）、ネットワークノード、５Ｇ  ＮＢ、次世代ノードＢ（ｇＮＢ）など）を定義し得る。ＢＳまたはＤＵは、（たとえば、ＢＳからまたはＵＥへの送信のために）ダウンリンクチャネル、および（たとえば、ＵＥからＢＳまたはＤＵへの送信のために）アップリンクチャネル上でＵＥのセットと通信し得る。
【０００５】
[0005]これらの多元接続技術は、異なるワイヤレスデバイスが都市、国家、地域、さらには地球規模で通信することを可能にする共通プロトコルを提供するために、様々な電気通信規格において採用されている。新生の電気通信規格の例は、新しい無線（ＮＲ）、たとえば、５Ｇ無線アクセスである。ＮＲは、第３世代パートナーシッププロジェクト（３ＧＰＰ）によって公表されたＬＴＥモバイル規格の拡張のセットである。ＮＲは、スペクトル効率を改善すること、コストを下げること、サービスを改善すること、新しいスペクトルを利用すること、ならびにダウンリンク（ＤＬ）上でおよびアップリンク（ＵＬ）上でサイクリックプレフィックス（ＣＰ）とともにＯＦＤＭＡを使用して、他のオープン規格とより良く統合することによって、モバイルブロードバンドインターネットアクセスをより良くサポートし、ならびに、ビームフォーミング、多入力多出力（ＭＩＭＯ）アンテナ技術、およびキャリアアグリゲーションをサポートするように設計されている。
【０００６】
[0006]しかしながら、モバイルブロードバンドアクセスに対する需要が増加し続けるにつれて、ＮＲ技術のさらなる改善が必要である。好ましくは、これらの改善は、他の多元接続技術と、これらの技術を採用する電気通信規格とに適用可能であるべきである。
【発明の概要】
【０００７】
[0007]本開示のシステム、方法、およびデバイスは、それぞれいくつかの態様を有し、それらのうちの単一の態様が単独で本開示の望ましい属性を担当するとは限らない。次に、以下の特許請求の範囲によって表される本開示の範囲を限定することなしに、いくつかの特徴について手短に説明する。この説明を考察すれば、特に「発明を実施するための形態」と題するセクションを読めば、本開示の特徴が、ワイヤレスネットワークにおけるアクセスポイントと局との間の改善された通信を含む利点をどのように提供するかが理解されよう。
【０００８】
[0008]本開示のいくつかの態様は、一般に、残存最小システム情報（ＲＭＳＩ）制御リソースセット（ＣＯＲＥＳＥＴ）および他のシステム情報（ＯＳＩ）ＣＯＲＥＳＥＴのための設計に関する。
【０００９】
[0009]本開示のいくつかの態様は、ユーザ機器（ＵＥ）によるワイヤレス通信のための方法を提供する。本方法は、同期信号ブロック（ＳＳＢ）によって搬送される物理ブロードキャストチャネル（ＰＢＣＨ）中でタイプ０物理ダウンリンク制御チャネル（ＰＤＣＣＨ）共通探索空間制御リソースセット（ＣＯＲＥＳＥＴ）構成と物理リソースブロック（ＰＲＢ）グリッドオフセットとを受信すること、タイプ０  ＰＤＣＣＨ共通探索空間ＣＯＲＥＳＥＴ構成が、ＳＳＢのＰＲＢの周波数ロケーションに対するタイプ０  ＰＤＣＣＨ共通探索空間ＣＯＲＥＳＥＴリソースブロック（ＰＲＢ）の周波数ロケーションに関係する１つまたは複数のオフセットに対応する１つまたは複数のオフセット値を示すインジケーションを備える、を含む。本方法はまた、ＰＲＢグリッドオフセットを適用することによってタイプ０  ＰＤＣＣＨ共通探索空間ＣＯＲＥＳＥＴのＰＲＢグリッドとＳＳＢのＰＲＢグリッドをアラインすることを含む。本方法はまた、ＵＥによって記憶されたマッピングを使用して１つまたは複数のオフセット値にインジケーションをマッピングすることを含む。本方法はまた、１つまたは複数のオフセット値とＳＳＢ  ＰＲＢの周波数ロケーションとに基づいてタイプ０  ＰＤＣＣＨ共通探索空間ＣＯＲＥＳＥＴ  ＰＲＢの周波数ロケーションを決定することによって含む。本方法はまた、タイプ０  ＰＤＣＣＨ共通探索空間ＣＯＲＥＳＥＴ中でタイプ０  ＰＤＣＣＨを受信することを含む。
【００１０】
[0010]本開示のいくつかの態様は、ユーザ機器（ＵＥ）によるワイヤレス通信のための方法を提供する。本開示のいくつかの態様は、ユーザ機器（ＵＥ）によるワイヤレス通信のための方法を提供する。本方法は、物理ダウンリンク共有チャネル（ＰＤＳＣＨ）中でのタイプ０物理ダウンリンク制御チャネル（ＰＤＣＣＨ）共通探索空間制御リソースセット（ＣＯＲＥＳＥＴ）の時間ロケーションを決定することを含む。本方法は、タイプ０  ＰＤＣＣＨ共通探索空間ＣＯＲＥＳＥＴの周波数ロケーションに基づいてＰＤＳＣＨ中でのタイプ０ａ物理ダウンリンク制御共通探索空間ＣＯＲＥＳＥＴの時間ロケーションを決定することをさらに含む。本方法は、タイプ０ａ  ＰＤＣＣＨ共通探索空間ＣＯＲＥＳＥＴを受信することをさらに含む。
【００１１】
[0011]態様は、概して、添付の図面を参照しながら本明細書で実質的に説明され、添付の図面によって示されるように、方法、装置、システム、コンピュータ可読媒体、および処理システムを含む。多数の他の態様が提供される。
【００１２】
[0012]上記のおよび関係する目的を達成するために、１つまたは複数の態様は、以下で十分に説明され、特に特許請求の範囲で指摘される特徴を備える。以下の説明および添付の図面に、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【図面の簡単な説明】
【００１３】
[0013]本開示の上記で具陳された特徴が詳細に理解され得るように、添付の図面にその一部が示される態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。
【図１】本開示のいくつかの態様による、例示的な電気通信システムを概念的に示すブロック図。
【図２】本開示のいくつかの態様による、分散無線アクセスネットワーク（ＲＡＮ）の例示的な論理アーキテクチャを示すブロック図。
【図３】本開示のいくつかの態様による、分散型ＲＡＮの例示的な物理アーキテクチャを示す図。
【図４】本開示のいくつかの態様による、例示的な基地局（ＢＳ）およびユーザ機器（ＵＥ）の設計を概念的に示すブロック図。
【図５】本開示のいくつかの態様による、通信プロトコルスタックを実装するための例を示す図。
【図６】本開示のいくつかの態様による、ダウンリンク中心サブフレームの一例を示す図。
【図７】本開示のいくつかの態様による、アップリンク中心サブフレームの一例を示す図。
【図８】本開示の態様による、基地局によってブロードキャストされる同期信号ブロック（ＳＳＢ）の例示的な構造を示す図。
【図９】本開示の態様による、様々なシステムパラメータに基づくＳＳＢ送信機会のパターンの例示的な構成を示す図。
【図１０】本開示のいくつかの態様による、周波数および時間リソースに関するＳＳＢ送信機会の例示的な構成を示す図。
【図１１】本開示のいくつかの態様による、ユーザ機器（ＵＥ）による使用のための例示的なワイヤレス通信動作を示す図。
【図１１Ａ】図１１に示す動作のうちの１つまたは複数など、本明細書で開示される技法のための動作を実行するように構成された様々な構成要素を含み得るワイヤレス通信デバイスを示す図。
【図１２Ａ】本開示のいくつかの態様による、いくつかの連続するＳＳＢ物理リソースブロック（ＰＲＢ）といくつかの連続する残存最小システム情報（ＲＭＳＩ）制御リソースセット（ＣＯＲＥＳＥＴ）ＰＲＢとを含む物理リソースブロック（ＰＲＢ）グリッドを示す図。
【図１２Ｂ】本開示のいくつかの態様による、いくつかの連続するＳＳＢ  ＰＲＢといくつかの連続する残存最小システム情報（ＲＭＳＩ）制御リソースセット（ＣＯＲＥＳＥＴ）ＰＲＢとを含む物理リソースブロック（ＰＲＢ）グリッドを示す図。
【図１２Ｃ】本開示のいくつかの態様による、いくつかの連続するＳＳＢ  ＰＲＢといくつかの連続する残存最小システム情報（ＲＭＳＩ）制御リソースセット（ＣＯＲＥＳＥＴ）ＰＲＢとを含む物理リソースブロック（ＰＲＢ）グリッドを示す図。
【図１３】本開示のいくつかの態様による、基地局（ＢＳ）が様々なシナリオにおいてインジケーション中でＵＥに示し得る可能ないくつかの周波数オフセット値を示す例示的な表。
【図１４】本開示のいくつかの態様による、基地局（ＢＳ）が様々なシナリオにおいてインジケーション中でＵＥに示し得るより少数の可能ないくつかの周波数オフセット値を示す例示的な表。
【図１５】本開示のいくつかの態様による、ＳＳＢと周波数分割多重化（ＦＤＭ）されているＲＭＳＩ  ＣＯＲＥＳＥＴの３つの例を示す図。
【図１６】本開示のいくつかの態様による、ＲＭＳＩサブキャリア間隔（ＳＣＳ）およびＳＳＢ  ＳＣＳが同じであるのかまたは異なるのかに依存する異なるオフセット値を示す例示的な表。
【図１７】本開示のいくつかの態様による、ユーザ機器（ＵＥ）による使用のための例示的なワイヤレス通信動作を示す図。
【図１７Ａ】図１７に示す動作のうちの１つまたは複数など、本明細書で開示される技法のための動作を実行するように構成された様々な構成要素を含み得るワイヤレス通信デバイスを示す図。
【図１８】６ＧＨｚを下回る周波数帯域についてのＲＭＳＩタイミングロケーションとＳＳＢタイミングロケーションとの間の例示的なマッピングを含む完全な図を示すために図１８Ａ〜図１８Ｄの集合がどのように構成され得るのかを示す図。
【図１８Ａ】本開示のいくつかの態様による、６ＧＨｚを下回る周波数帯域についてのＲＭＳＩタイミングロケーションとＳＳＢタイミングロケーションとの間の例示的なマッピングを示す図。
【図１８Ｂ】本開示のいくつかの態様による、６ＧＨｚを下回る周波数帯域についてのＲＭＳＩタイミングロケーションとＳＳＢタイミングロケーションとの間の例示的なマッピングを示す図。
【図１８Ｃ】本開示のいくつかの態様による、６ＧＨｚを下回る周波数帯域についてのＲＭＳＩタイミングロケーションとＳＳＢタイミングロケーションとの間の例示的なマッピングを示す図。
【図１８Ｄ】本開示のいくつかの態様による、６ＧＨｚを下回る周波数帯域についてのＲＭＳＩタイミングロケーションとＳＳＢタイミングロケーションとの間の例示的なマッピングを示す図。
【図１９】６ＧＨｚを上回る周波数帯域についてのＲＭＳＩタイミングロケーションとＳＳＢタイミングロケーションとの間の例示的なマッピングを含む完全な図を示すために図１９Ａ〜図１８Ｂの集合がどのように構成され得るのかを示す図。
【図１９Ａ】本開示のいくつかの態様による、６ＧＨｚを上回る周波数帯域についてのＲＭＳＩタイミングロケーションとＳＳＢタイミングロケーションとの間の例示的なマッピングを示す図。
【図１９Ｂ】本開示のいくつかの態様による、６ＧＨｚを上回る周波数帯域についてのＲＭＳＩタイミングロケーションとＳＳＢタイミングロケーションとの間の例示的なマッピングを示す図。
【図２０】本開示のいくつかの態様による、ユーザ機器（ＵＥ）による使用のための例示的なワイヤレス通信動作を示す図。
【図２０Ａ】図２０に示す動作のうちの１つまたは複数など、本明細書で開示される技法のための動作を実行するように構成された様々な構成要素を含み得るワイヤレス通信デバイスを示す図。
【図２１】本開示のいくつかの態様による、ユーザ機器（ＵＥ）による使用のための例示的なワイヤレス通信動作を示す図。
【図２１Ａ】図２１に示す動作のうちの１つまたは複数など、本明細書で開示される技法のための動作を実行するように構成された様々な構成要素を含み得るワイヤレス通信デバイスを示す図。
【図２２】本開示のいくつかの態様による、ユーザ機器（ＵＥ）による使用のための例示的なワイヤレス通信動作を示す図。
【図２２Ａ】図２２に示す動作のうちの１つまたは複数など、本明細書で開示される技法のための動作を実行するように構成された様々な構成要素を含み得るワイヤレス通信デバイスを示す図。
【００１４】
[0043]理解を容易にするために、可能な場合、各図に共通である同じ要素を指定するために同じ参照番号が使用されている。一態様において開示される要素が、特定の具陳なしに他の態様に対して有益に利用され得ることが企図される。
【発明を実施するための形態】
【００１５】
[0044]本開示の態様は、時間および周波数領域中での残存最小システム情報（ＲＭＳＩ）制御リソースセット（ＣＯＲＥＳＥＴ）と他のシステム情報（ＯＳＩ）ＣＯＲＥＳＥＴとのロケーションを決定するためのシステムおよび方法に関する。
【００１６】
[0045]本開示の態様は、新しい無線（ＮＲ）（新しい無線アクセス技術または５Ｇ技術）のための装置、方法、処理システム、およびコンピュータ可読媒体を提供する。
【００１７】
[0046]ＮＲは、拡張モバイルブロードバンド（ｅＭＢＢ）ターゲッティング広帯域幅（たとえば、８０ＭＨｚ超）、ミリメートル波（ｍｍＷ）ターゲッティング高キャリア周波数（たとえば、２７ＧＨｚ以上）、マッシブＭＴＣ（ｍＭＴＣ）ターゲッティング非後方互換ＭＴＣ技法、および／またはミッションクリティカルターゲッティング超高信頼低遅延通信（ＵＲＬＬＣ）などの、様々なワイヤレス通信サービスをサポートする。これらのサービスは、待ち時間および信頼性の要件を含み得る。これらのサービスは、それぞれのサービス品質（ＱｏＳ）要件を満たすために、異なる送信時間間隔（ＴＴＩ）をも有し得る。さらに、これらのサービスは、同じサブフレームにおいて共存し得る。
【００１８】
[0047]いくつかの態様では、セル同期プロシージャは、ＵＥ（たとえば、図１に関して説明するようなＵＥ１２０）によるセル探索および同期を容易にするためにＳＳＢ中で信号のセットをブロードキャストする基地局（たとえば、図１に関して説明するＢＳ１１０）を伴い得る。ＳＳＢは、１次同期信号（ＰＳＳ）と、２次同期信号（ＳＳＳ）と、物理ブロードキャストチャネル（ＰＢＣＨ）とを含む。基地局によって送信されたＳＳＢは、ＵＥが、ＰＳＳに基づくシンボルタイミング、ＰＳＳおよびＳＳＳに基づくセル識別情報、ならびにＰＢＣＨ中で送られるシステム情報に基づく初期セルアクセスのために必要とされる他のパラメータなどのシステムタイミング情報を決定するのを助ける。
【００１９】
[0048]システム情報は、場合によっては、最小システム情報（ＭＳＩ）ならびに他のシステム情報（ＯＳＩ）を含み得る。場合によっては、ＭＳＩは、（ＬＴＥにおけるマスタ情報ブロック（ＭＩＢ）と同様の）ＰＢＣＨによって搬送される情報ならびに残存最小システム情報（ＲＭＳＩ）を含む。（ＭＩＢと同様の）ＰＢＣＨによって搬送される情報は、セルから他の情報を取得するためにＵＥによって使用される情報である。ＲＭＳＩは、セルへのＵＥのアクセスに関係する情報ならびにセル中のすべてのＵＥのための共通の無線リソース構成を含む。ＲＭＳＩは、システム情報ブロック１（ＳＩＢ１）と互換的に呼ばれることがあり、ＲＭＳＩ  ＣＯＲＥＳＥＴは、タイプ０物理ダウンリンク制御チャネル（ＰＤＣＣＨ）共通探索空間ＣＯＲＥＳＥＴと互換的に呼ばれることがあり、ＯＳＩ  ＣＯＲＥＳＥＴは、タイプ０ａ物理ダウンリンク制御チャネル（ＰＤＣＣＨ）共通探索空間ＣＯＲＥＳＥＴと互換的に呼ばれることがある。ＲＭＳＩは、上記で説明されたように、物理ダウンリンク共有チャネル（ＰＤＳＣＨ）によって搬送される。ＵＥは、ＰＤＣＣＨ中で送られた情報に基づいてＰＤＳＣＨのリソースを使用して通信するようにスケジュールされる。ＰＤＳＣＨはまた、ＯＳＩを搬送し得る。
【００２０】
[0049]ＲＭＳＩをスケジュールするＰＤＣＣＨ（たとえば、タイプ０  ＰＤＣＣＨ）は、ＳＳＢに関連するＲＭＳＩ  ＰＤＣＣＨモニタリングウィンドウ内の制御リソースセット（ＣＯＲＥＳＥＴ）中で送信され得る。場合によっては、ＲＭＳＩ  ＣＯＲＥＳＥＴ（タイプ０  ＰＤＣＨ共通探索空間ＣＯＲＥＳＥＴ）は、ＲＭＳＩを搬送するＰＤＳＣＨをスケジュールするためのＰＤＣＣＨがマッピングされるＣＯＲＥＳＥＴである。
【００２１】
[0050]本明細書で説明されるいくつかの実施形態は、ＵＥ（たとえば、ＵＥ１２０）などのワイヤレス通信デバイスが、周波数および時間領域中のＳＳＢ送信のロケーションに基づいて周波数および時間領域中でのＲＭＳＩ  ＣＯＲＥＳＥＴとＯＳＩ  ＣＯＲＥＳＥＴとのロケーションを決定することを可能にすることを対象とする。ＲＭＳＩ  ＣＯＲＥＳＥＴおよびＯＳＩ  ＣＯＲＥＳＥＴ周波数および時間リソースのロケーションを決定することにより、ＵＥは、それぞれ、ＲＭＳＩ  ＣＯＲＥＳＥＴおよびＯＳＩ  ＣＯＲＥＳＥＴを受信することが可能になる。ＲＭＳＩ  ＣＯＲＥＳＥＴを受信することによって、ＵＥは、どのＵＥがＲＭＳＩを搬送するＰＤＳＣＨを受信し、復号することが可能であるのかに基づいてＲＭＳＩ  ＣＯＲＥＳＥＴ中でＰＤＣＣＨ（たとえば、タイプ０  ＰＤＣＣＨ）を受信することが可能になる。また、ＵＥは、周波数および時間領域中でのＲＭＳＩ  ＣＯＲＥＳＥＴのロケーションに基づいて周波数および時間領域中でのＯＳＩ  ＣＯＲＥＳＥＴのロケーションを決定し得る。
【００２２】
[0051]以下の説明は、例を与えるものであり、特許請求の範囲に記載される範囲、適用性、または例を限定するものではない。本開示の範囲から逸脱することなく、説明される要素の機能および構成において変更が行われ得る。様々な例は、適宜に、様々な手順または構成要素を省略、置換、または追加し得る。たとえば、説明される方法は、説明される順序とは異なる順序で実施されてよく、様々なステップが追加、省略、または組み合わされ得る。また、いくつかの例に関して説明される特徴は、いくつかの他の例において組み合わされ得る。たとえば、本明細書に記載される態様を任意にいくつ使用しても、装置は実装され得、または方法は実施され得る。さらに、本開示の範囲は、本明細書に記載された開示の様々な態様に加えて、またはそれらの態様以外の他の構造、機能、または構造および機能を使用して実践される装置または方法を包含するものである。本明細書に開示される開示のいかなる態様も、請求項の１つまたは複数の要素によって具現化され得ることを理解されたい。「例示的」という単語は、「例、事例、または例示として機能すること」を意味するように本明細書で使用される。「例示的」として本明細書に記載されたいかなる態様も、必ずしも他の態様よりも好ましいまたは有利であると解釈されるべきではない。
【００２３】
[0052]本明細書で説明される技法は、ＬＴＥ、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語は、しばしば互換的に使用される。ＣＤＭＡネットワークは、ユニバーサル地上波無線アクセス（ＵＴＲＡ）、ｃｄｍａ２０００などの無線技術を実装し得る。ＵＴＲＡは、広帯域ＣＤＭＡ（ＷＣＤＭＡ（登録商標））とＣＤＭＡの他の変形形態とを含む。ｃｄｍａ２０００は、ＩＳ−２０００規格と、ＩＳ−９５規格と、ＩＳ−８５６規格とを包含する。ＴＤＭＡネットワークは、モバイル通信用グローバルシステム（ＧＳＭ（登録商標））などの無線技術を実装することができる。ＯＦＤＭＡネットワークは、ＮＲ（たとえば、５Ｇ  ＲＡ）、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ）の一部である。ＮＲは、５Ｇ技術フォーラム（５ＧＴＦ）とともに開発中の新生のワイヤレス通信技術である。３ＧＰＰロングタームエボリューション（ＬＴＥ）およびＬＴＥアドバンスト（ＬＴＥ−Ａ）は、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２）と称する団体からの文書に記載されている。本明細書で説明される技法は、上記のワイヤレスネットワークおよび無線技術、ならびに他のワイヤレスネットワークおよび無線技術に使用され得る。明快のために、本明細書では、３Ｇおよび／または４Ｇのワイヤレス技術に一般に関連する用語を使用して態様が説明され得るが、本開示の態様は、ＮＲ技術を含む、５Ｇ以降など、他の世代ベースの通信システムにおいて適用され得る。
例示的なワイヤレス通信システム
[0053]図１は、本開示の態様が実行され得る例示的なワイヤレスネットワーク１００を示す。たとえば、ユーザ機器１２０は、基地局１２０から物理ブロードキャストチャネル（ＰＢＣＨ）中で残存最小システム情報（ＲＭＳＩ）制御リソースセット（ＣＯＲＥＳＥＴ）構成を受信し得る。ＲＭＳＩ  ＣＯＲＥＳＥＴ構成は、ＲＭＳＩ  ＣＯＲＥＳＥＴ周波数リソースのロケーションを決定するためにＵＥ１２０が使用し得るインジケーションを含み得る。さらに、ＵＥ１２０は、ＵＥ１２０がＲＭＳＩ  ＣＯＲＥＳＥＴ時間リソースのロケーションを決定することを可能にするＲＭＳＩ  ＣＯＲＥＳＥＴ時間リソースへのＳＳＢ時間リソースのマッピングを記憶し得る。
【００２４】
[0054]ＵＥはまた、ＲＭＳＩ  ＣＯＲＥＳＥＴの時間および周波数ロケーションに基づいて他のシステム情報（ＯＳＩ）ＣＯＲＥＳＥＴの時間および周波数ロケーションを決定し得る。
【００２５】
[0055]図１に示されているように、ワイヤレスネットワーク１００は、いくつかのＢＳ１１０と他のネットワークエンティティとを含み得る。ＢＳはＵＥと通信する局であり得る。各ＢＳ１１０は、特定の地理的エリアに通信カバレージを提供し得る。３ＧＰＰでは、「セル」という用語は、この用語が使用されるコンテキストに応じて、ノードＢ（ＮＢ）のカバレージエリアおよび／またはこのカバレージエリアをサービスするノードＢサブシステムを指すことができる。ＮＲシステムでは、「セル」、ＢＳ、次世代ノードＢ（ｇＮＢ）、ノードＢ、５Ｇ  ＮＢ、アクセスポイント（ＡＰ）、ＮＲ  ＢＳ、ＮＲ  ＢＳ、または送受信（ＴＲＰ）という用語は互換性があり得る。いくつかの例では、セルは必ずしも固定であるとは限らないことがあり、セルの地理的エリアは、モバイルＢＳのロケーションに従って移動することがある。いくつかの例では、ＢＳは、任意の好適なトランスポートネットワークを使用して、直接物理接続、仮想ネットワークなど、様々なタイプのバックホールインターフェースを通して、互いに、および／あるいはワイヤレスネットワーク１００中の１つまたは複数の他のＢＳまたはネットワークノード（図示せず）に相互接続され得る。
【００２６】
[0056]概して、任意の数のワイヤレスネットワークが所与の地理的エリア中に展開され得る。各ワイヤレスネットワークは、特定の無線アクセス技術（ＲＡＴ）をサポートし得、１つまたは複数の周波数上で動作し得る。ＲＡＴは、無線技術、エアインターフェースなどと呼ばれることもある。周波数は、キャリア、周波数チャネル、トーン、サブバンド、サブキャリアなどと呼ばれることもある。各周波数は、異なるＲＡＴのワイヤレスネットワーク間での干渉を回避するために、所与の地理的エリア中の単一のＲＡＴをサポートし得る。いくつかの場合には、ＮＲまたは５Ｇ  ＲＡＴネットワークが展開され得る。
【００２７】
[0057]ＢＳは、マクロセル、ピコセル、フェムトセル、および／または他のタイプのセルに通信カバレージを提供し得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連付けを有するＵＥ（たとえば、限定加入者グループ（ＣＳＧ）中のＵＥ、自宅内のユーザのためのＵＥなど）による制限付きアクセスを可能にし得る。マクロセルのためのＢＳはマクロＢＳと呼ばれることがある。ピコセルのためのＢＳはピコＢＳと呼ばれることがある。フェムトセルのためのＢＳは、フェムトＢＳまたはホームＢＳと呼ばれることがある。図１に示されている例では、ＢＳ１１０ａ、１１０ｂおよび１１０ｃは、それぞれマクロセル１０２ａ、１０２ｂおよび１０２ｃのためのマクロＢＳであり得る。ＢＳ１１０ｘは、ピコセル１０２ｘのためのピコＢＳであり得る。ＢＳ１１０ｙおよび１１０ｚは、それぞれフェムトセル１０２ｙおよび１０２ｚのためのフェムトＢＳであり得る。ＢＳは１つまたは複数の（たとえば、３つの）セルをサポートし得る。
【００２８】
[0058]ワイヤレスネットワーク１００はまた、中継局を含み得る。中継局は、上流局（たとえば、ＢＳまたはＵＥ）からデータおよび／または他の情報の送信を受信し、そのデータおよび／または他の情報の送信を下流局（たとえば、ＵＥまたはＢＳ）に送る局である。中継局はまた、他のＵＥに対する送信を中継するＵＥであり得る。図１に示されている例では、中継局１１０ｒは、ＢＳ１１０ａとＵＥ１２０ｒとの間の通信を容易にするために、ＢＳ１１０ａおよびＵＥ１２０ｒと通信し得る。中継局は、リレーＢＳ、リレーなどと呼ばれることもある。
【００２９】
[0059]ワイヤレスネットワーク１００は、異なるタイプのＢＳ、たとえば、マクロＢＳ、ピコＢＳ、フェムトＢＳ、リレーなどを含む異種ネットワークであり得る。これらの異なるタイプのＢＳは、異なる送信電力レベル、異なるカバレージエリア、およびワイヤレスネットワーク１００における干渉に対する異なる影響を有し得る。たとえば、マクロＢＳは、高い送信電力レベル（たとえば、２０ワット）を有し得るが、ピコＢＳ、フェムトＢＳ、およびリレーは、より低い送信電力レベル（たとえば、１ワット）を有し得る。
【００３０】
[0060]ワイヤレスネットワーク１００は、同期動作または非同期動作をサポートし得る。同期動作の場合、ＢＳは同様のフレームタイミングを有し得、異なるＢＳからの送信は近似的に時間的にアラインされ得る。非同期動作の場合、ＢＳは異なるフレームタイミングを有し得、異なるＢＳからの送信は時間的にアラインされないことがある。本明細書で説明される技法は、同期動作と非同期動作の両方のために使用され得る。
【００３１】
[0061]ネットワークコントローラ１３０は、ＢＳのセットに結合し、これらのＢＳの協調および制御を行い得る。ネットワークコントローラ１３０は、バックホールを介してＢＳ１１０と通信し得る。ＢＳ１１０はまた、たとえば、ワイヤレスバックホールまたはワイヤラインバックホールを介して直接または間接的に互いと通信し得る。
【００３２】
[0062]ＵＥ１２０（たとえば、１２０ｘ、１２０ｙなど）はワイヤレスネットワーク１００全体にわたって分散され得、各ＵＥは固定または移動であり得る。ＵＥは、移動局、端末、アクセス端末、加入者ユニット、局、顧客構内機器（ＣＰＥ：Customer Premises Equipment）、セルラーフォン、スマートフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲームデバイス、ネットブック、スマートブック、ウルトラブック、医療デバイスまたは医療機器、生体センサー／生体デバイス、スマートウォッチ、スマートクロージング、スマートグラス、スマートリストバンド、スマートジュエリー（たとえば、スマートリング、スマートブレスレットなど）などのウェアラブルデバイス、エンターテインメントデバイス（たとえば、音楽デバイス、ビデオデバイス、衛星ラジオなど）、車両構成要素または車両センサー、スマートメーター／スマートセンサー、工業用製造機器、全地球測位システムデバイス、あるいはワイヤレス媒体またはワイヤード媒体を介して通信するように構成された任意の他の好適なデバイスと呼ばれることもある。いくつかのＵＥは、発展型もしくはマシンタイプ通信（ＭＴＣ）デバイスまたは発展型ＭＴＣ（ｅＭＴＣ）デバイスと見なされ得る。ＭＴＣ  ＵＥおよびｅＭＴＣ  ＵＥは、たとえば、ＢＳ、別のデバイス（たとえば、リモートデバイス）、または何らかの他のエンティティと通信し得る、ロボット、ドローン、リモートデバイス、センサー、メーター、モニタ、ロケーションタグなどを含む。ワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を提供し得る。いくつかのＵＥは、モノのインターネット（ＩｏＴ）デバイスまたは狭帯域ＩｏＴ（ＮＢ−ＩｏＴ）デバイスと見なされ得る。
【００３３】
[0063]図１では、両矢印付きの実線は、ダウンリンクおよび／またはアップリンク上での、ＵＥと、そのＵＥをサービスするように指定されたＢＳであるサービングＢＳとの間の所望の送信を示す。両矢印付きの破線は、ＵＥとＢＳとの間の干渉送信を示す。
【００３４】
[0064]いくつかのワイヤレスネットワーク（たとえば、ＬＴＥ）は、ダウンリンク上では直交周波数分割多重（ＯＦＤＭ）を利用し、アップリンク上ではシングルキャリア周波数分割多重（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、サブキャリアの間隔は１５ｋＨｚであってよく、（物理リソースブロック（ＰＲＢ）と呼ばれる）最小リソース割振りは、１２個のサブキャリア（または１８０ｋＨｚ）であり得る。したがって、公称ＦＦＴサイズは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚ（すなわち、６つのＰＲＢ）をカバーし得、１．２５、２．５、５、１０または２０ＭＨｚのシステム帯域幅に対してそれぞれ１、２、４、８または１６個のサブバンドがあり得る。
【００３５】
[0065]本明細書で説明される例の態様は、ＬＴＥ技術に関連付けられ得るが、本開示の態様は、ＮＲなど、他のワイヤレス通信システムとともに適用可能であり得る。
【００３６】
[0066]ＮＲは、アップリンクおよびダウンリンク上でＣＰとともにＯＦＤＭを利用し、ＴＤＤを使用する半二重動作のサポートを含み得る。１００ＭＨｚの単一のコンポーネントキャリア帯域幅がサポートされ得る。ＮＲリソースブロックは、０．１ｍｓの持続時間にわたる７５ｋＨｚのサブキャリア帯域幅をもつ１２個のサブキャリアにわたり得る。各無線フレームは、各々が５つのサブフレームからなる２つの１／２フレームからなり、１０ｍｓの長さをもち得る。したがって、各サブフレームは、１ｍｓの長さを有し得る。各サブフレームは、データ送信のためのリンク方向（すなわち、ＤＬまたはＵＬ）を示し得、各サブフレームのためのリンク方向は、動的に切り替えられ得る。各サブフレームは、ＤＬ／ＵＬデータならびにＤＬ／ＵＬ制御データを含み得る。ＮＲのためのＵＬおよびＤＬサブフレームは、図６および図７に関して以下でより詳細に説明する通りであり得る。ビームフォーミングがサポートされ得、ビーム方向が動的に構成され得る。プリコーディングを用いたＭＩＭＯ送信も、サポートされ得る。ＤＬにおけるＭＩＭＯ構成は、最高８つのストリームおよびＵＥごとに最高２つのストリームのマルチレイヤＤＬ送信を用いて、最高８つの送信アンテナをサポートし得る。ＵＥごとに最高２つのストリームをもつマルチレイヤ送信が、サポートされ得る。複数のセルのアグリゲーションが、最高８つのサービングセルを用いてサポートされ得る。代替的に、ＮＲは、ＯＦＤＭベース以外の異なるエアインターフェースをサポートし得る。ＮＲネットワークは、ＣＵおよび／またはＤＵのような、エンティティを含み得る。
【００３７】
[0067]ＬＴＥでは、基本送信時間間隔（ＴＴＩ）またはパケット持続時間は、１つのサブフレームである。ＮＲでは、サブフレームは依然として１ｍｓであるが、基本ＴＴＩはスロットと呼ばれる。サブフレームは、トーン間隔（たとえば、１５、３０、６０、１２０、２４０．．ｋＨｚ）に応じて可変数のスロット（たとえば、１、２、４、８、１６、．．．スロット）を含んでいる。
【００３８】
[0068]ビームフォーミングは、概して、（ビームフォーミングを送信するための）個々のアンテナ信号の大きさおよび位相を適宜に重み付けすることによって波面の方向を制御するための複数のアンテナの使用を指す。ビームフォーミングは、拡張カバレージ中に生じ得、アレイ中の各アンテナが、操作された信号に寄与し得るので、アレイ利得（またはビームフォーミング利得）が達成される。ビームフォーミングを受信することは、波面が到着することになる方向（到着方向またはＤｏＡ）を決定することを可能にする。干渉信号の方向にビームパターンヌルを適用することによって選択された干渉信号を抑制することも可能であり得る。適応ビームフォーミングは、移動する受信機にビームフォーミングを連続的に適用する技法を指す。
【００３９】
[0069]いくつかの例では、エアインターフェースへのアクセスがスケジュールされ得、スケジューリングエンティティ（たとえば、ＢＳ）が、それのサービスエリアまたはセル内の一部または全部のデバイスおよび機器の間での通信のためのリソースを割り振る。本開示内では、以下でさらに説明されるように、スケジューリングエンティティは、１つまたは複数の従属エンティティのためのリソースをスケジュールすること、割り当てること、再構成すること、および解放することを担当し得る。すなわち、スケジュールされた通信のために、従属エンティティは、スケジューリングエンティティによって割り振られたリソースを利用する。ＢＳは、スケジューリングエンティティとして機能し得る唯一のエンティティではない。すなわち、いくつかの例では、ＵＥが、１つまたは複数の従属エンティティ（たとえば、１つまたは複数の他のＵＥ）のためのリソースをスケジュールする、スケジューリングエンティティとして機能し得る。この例では、ＵＥは、スケジューリングエンティティとして機能しており、他のＵＥは、ワイヤレス通信のためにＵＥによってスケジュールされたリソースを利用する。ＵＥは、ピアツーピア（Ｐ２Ｐ）ネットワークにおいて、および／またはメッシュネットワークにおいてスケジューリングエンティティとして機能し得る。メッシュネットワーク例では、ＵＥは、スケジューリングエンティティと通信することに加えて互いに直接通信し得る。
【００４０】
[0070]したがって、時間周波数リソースへのスケジュールされたアクセスを伴い、セルラー構成と、Ｐ２Ｐ構成と、メッシュ構成とを有するワイヤレス通信ネットワークでは、スケジューリングエンティティおよび１つまたは複数の従属エンティティは、スケジュールされたリソースを利用して通信し得る。
【００４１】
[0071]図２は、図１に示されているワイヤレス通信システムにおいて実装され得る、分散型無線アクセスネットワーク（ＲＡＮ）２００の例示的な論理アーキテクチャを示す。５Ｇアクセスノード２０６は、アクセスノードコントローラ（ＡＮＣ）２０２を含み得る。ＡＮＣ２０２は、分散型ＲＡＮ２００の中央ユニット（ＣＵ）であり得る。次世代コアネットワーク（ＮＧ−ＣＮ）２０４へのバックホールインターフェースは、ＡＮＣ２０２において終端し得る。隣接する次世代アクセスノード（ＮＧ−ＡＮ）２１０へのバックホールインターフェースは、ＡＮＣ２０２において終端し得る。ＡＮＣ２０２は、（ＢＳ、ＮＲ  ＢＳ、ノードＢ、ｇＮＢ、５Ｇ  ＮＢ、ＡＰ、または何らかの他の用語で呼ばれることもある）１つまたは複数のＴＲＰ２０８を含み得る。上記で説明されたように、ＴＲＰは、「セル」と互換的に使用され得る。
【００４２】
[0072]ＴＲＰ２０８はＤＵであり得る。ＴＲＰ２０８は、１つのＡＮＣ（ＡＮＣ２０２）または（示されていない）２つ以上のＡＮＣに接続され得る。たとえば、ＲＡＮ共有、サービスとしての無線（ＲａａＳ：radio as a service）、およびサービス固有ＡＮＤ展開（service specific AND deployment）の場合、ＴＲＰは２つ以上のＡＮＣに接続され得る。ＴＲＰは１つまたは複数のアンテナポートを含み得る。ＴＲＰは、ＵＥにトラフィックを、個々にサービスする（たとえば、動的選択）か、または一緒にサービスする（たとえば、ジョイント送信）ように構成され得る。
【００４３】
[0073]論理アーキテクチャは、異なる展開タイプにわたるフロントホーリングソリューションをサポートし得る。たとえば、論理アーキテクチャは、送信ネットワーク能力（たとえば、帯域幅、レイテンシ、および／またはジッタ）に基づき得る。論理アーキテクチャは、ＬＴＥと特徴および／または構成要素を共有し得る。ＮＧ−ＡＮ２１０は、ＮＲとのデュアル接続性をサポートし得る。ＮＧ−ＡＮ２１０は、ＬＴＥおよびＮＲについて共通フロントホールを共有し得る。
【００４４】
[0074]論理アーキテクチャは、ＴＲＰ２０８間の協働を可能にし得る。たとえば、協働は、ＡＮＣ２０２を介してＴＲＰ内でおよび／またはＴＲＰにわたってプリセットされ得る。インターＴＲＰインターフェースが使用されないことがある。
【００４５】
[0075]論理アーキテクチャは、分割論理機能の動的構成をサポートし得る。図５を参照しながらより詳細に説明するように、無線リソース制御（ＲＲＣ）レイヤ、パケットデータコンバージェンスプロトコル（ＰＤＣＰ）レイヤ、無線リンク制御（ＲＬＣ）レイヤ、媒体アクセス制御（ＭＡＣ）レイヤ、および物理（ＰＨＹ）レイヤが、ＤＵまたはＣＵ（たとえば、それぞれＴＲＰまたはＡＮＣ）に適応的に配置され得る。ＢＳは、中央ユニット（ＣＵ）（たとえば、ＡＮＣ２０２）および／または１つもしくは複数の分散型ユニット（たとえば、１つまたは複数のＴＲＰ２０８）を含み得る。
【００４６】
[0076]図３は、本開示の態様による、分散型ＲＡＮ３００の例示的な物理アーキテクチャを示す。集中型コアネットワークユニット（Ｃ−ＣＵ）３０２は、コアネットワーク機能をホストし得る。Ｃ−ＣＵ３０２は中央に展開され得る。Ｃ−ＣＵ機能性は、ピーク容量を扱おうとして、（たとえば、高度ワイヤレスサービス（ＡＷＳ）に）オフロードされ得る。
【００４７】
[0077]集中型ＲＡＮユニット（Ｃ−ＲＵ）３０４は、１つまたは複数のＡＮＣ機能をホストし得る。Ｃ−ＲＵ３０４は、ローカルにコアネットワーク機能をホストし得る。Ｃ−ＲＵ３０４は分散型展開を有し得る。Ｃ−ＲＵ３０４はネットワークエッジに近接し得る。
【００４８】
[0078]ＤＵ３０６は、１つまたは複数のＴＲＰ（エッジノード（ＥＮ）、エッジユニット（ＥＵ）、無線ヘッド（ＲＨ）、スマート無線ヘッド（ＳＲＨ）など）をホストし得る。ＤＵ３０６は、無線周波数（ＲＦ）機能をもつネットワークのエッジに位置し得る。
【００４９】
[0079]図４に、本開示の態様を実装するために使用され得る、図１に示されているＢＳ１１０およびＵＥ１２０の例示的な構成要素を示す。
【００５０】
[0080]上記で説明されたように、ＢＳ１１０はｇＮＢ、ＴＲＰなどであり得る。ＢＳ１１０およびＵＥ１２０の１つまたは複数の構成要素は、本開示の態様を実施するために使用され得る。たとえば、ＵＥ１２０のアンテナ４５２、Ｔｘ／Ｒｘ２２２、プロセッサ４６６、４５８、４６４、および／またはコントローラ／プロセッサ４８０、ならびに／あるいはＢＳ１１０のアンテナ４３４、プロセッサ４６０、４２０、４３８、および／またはコントローラ／プロセッサ４４０は、本明細書で説明され、図１１、図１７、および図２０を参照しながら図示される動作を実行するために使用され得る。
【００５１】
[0081]図４は、図１中のＢＳのうちの１つであり得るＢＳ１１０および図１中のＵＥのうちの１つであり得るＵＥ１２０の設計のブロック図を示す。制限付き関連付けシナリオの場合、ＢＳ１１０は図１中のマクロＢＳ１１０ｃであり得、ＵＥ１２０はＵＥ１２０ｙであり得る。ＢＳ１１０はまた、何らかの他のタイプのＢＳであり得る。ＢＳ１１０はアンテナ４３４ａ〜４３４ｔを装備し得、ＵＥ１２０はアンテナ４５２ａ〜４５２ｒを装備し得る。
【００５２】
[0082]ＢＳ１１０において、送信プロセッサ４２０が、データソース４１２からデータを受信し、コントローラ／プロセッサ４４０から制御情報を受信し得る。制御情報は、物理ブロードキャストチャネル（ＰＢＣＨ）、物理制御フォーマットインジケータチャネル（ＰＣＦＩＣＨ）、物理ハイブリッドＡＲＱインジケータチャネル（ＰＨＩＣＨ）、物理ダウンリンク制御チャネル（ＰＤＣＣＨ）などのためのものであり得る。データは物理ダウンリンク共有チャネル（ＰＤＳＣＨ）などのためのものであり得る。プロセッサ４２０は、それぞれデータシンボルおよび制御シンボルを取得するために、データおよび制御情報を処理（たとえば、符号化およびシンボルマッピング）し得る。プロセッサ４２０はまた、たとえば、１次同期信号（ＰＳＳ）、１次同期信号（ＳＳＳ）、およびセル固有基準信号のための基準シンボルを生成し得る。送信（ＴＸ）多入力多出力（ＭＩＭＯ）プロセッサ４３０が、適用可能な場合、データシンボル、制御シンボル、および／または基準シンボルに対して空間処理（たとえば、プリコーディング）を実行し得、出力シンボルストリームを変調器（ＭＯＤ）４３２ａ〜４３２ｔに与え得る。各変調器４３２は、（たとえば、ＯＦＤＭなどのための）それぞれの出力シンボルストリームを処理して、出力サンプルストリームを取得し得る。各変調器４３２は、出力サンプルストリームをさらに処理（たとえば、アナログへの変換、増幅、フィルタ処理、およびアップコンバート）して、ダウンリンク信号を取得し得る。変調器４３２ａ〜４３２ｔからのダウンリンク信号は、それぞれアンテナ４３４ａ〜４３４ｔを介して送信され得る。以下でより詳細に説明するように、場合によっては、同期、基準信号、およびブロードキャスト信号は、フレキシブルな帯域幅割振りを有し得、ＤＣトーンを中心としないことがある。
【００５３】
[0083]ＵＥ１２０において、アンテナ４５２ａ〜４５２ｒは、基地局１１０からダウンリンク信号を受信し得、受信信号をそれぞれ復調器（ＤＥＭＯＤ）４５４ａ〜４５４ｒに与え得る。各復調器４５４は、入力サンプルを取得するために、それぞれの受信信号を調整（たとえば、フィルタ処理、増幅、ダウンコンバート、およびデジタル化）し得る。各復調器４５４は、さらに、受信シンボルを取得するために、（たとえば、ＯＦＤＭなどのための）入力サンプルを処理し得る。ＭＩＭＯ検出器４５６は、すべての復調器４５４ａ〜４５４ｒから受信シンボルを取得し、適用可能な場合は受信シンボルに対してＭＩＭＯ検出を実施し、検出されたシンボルを与え得る。受信プロセッサ４５８は、検出シンボルを処理（たとえば、復調、デインターリーブ、および復号）し、ＵＥ１２０の復号されたデータをデータシンク４６０に与え、復号された制御情報をコントローラ／プロセッサ４８０に与え得る。
【００５４】
[0084]アップリンク上では、ＵＥ１２０において、送信プロセッサ４６４が、データソース４６２から（たとえば、物理アップリンク共有チャネル（ＰＵＳＣＨ）のための）データを受信し、処理し得、コントローラ／プロセッサ４８０から（たとえば、物理アップリンク制御チャネル（ＰＵＣＣＨ）のための）制御情報を受信し、処理し得る。送信プロセッサ４６４はまた、基準信号のための基準シンボルを生成し得る。送信プロセッサ４６４からのシンボルは、適用可能な場合はＴＸ  ＭＩＭＯプロセッサ４６６によってプリコーディングされ、さらに（たとえば、ＳＣ−ＦＤＭなどのために）変調器４５４ａ〜４５４ｒによって処理され、ＢＳ１１０に送信され得る。ＢＳ１１０において、ＵＥ１２０からのアップリンク信号は、アンテナ４３４によって受信され、変調器４３２によって処理され、適用可能な場合はＭＩＭＯ検出器４３６によって検出され、ＵＥ１２０によって送られた復号されたデータおよび制御情報を取得するために、受信プロセッサ４３８によってさらに処理され得る。受信プロセッサ４３８は、復号されたデータをデータシンク４３９に提供し、復号された制御情報をコントローラ／プロセッサ４４０に提供し得る。
【００５５】
[0085]コントローラ／プロセッサ４４０および４８０は、それぞれＢＳ１１０における動作およびＵＥ１２０における動作を指示し得る。ＢＳ１１０におけるプロセッサ４４０および／または他のプロセッサおよびモジュールは、本明細書で説明する技法のための実行プロセスを実行するか、または指示し得る。ＵＥ１２０におけるプロセッサ４８０ならびに／または他のプロセッサおよびモジュールは、たとえば、図１１、図１７、および図２０に示されている機能ブロック、および／または本明細書で説明される技法のための他のプロセスを実行するか、またはその実行を指示し得る。メモリ４４２および４８２は、それぞれＢＳ１１０およびＵＥ１２０のためのデータおよびプログラムコードを記憶し得る。スケジューラ４４４は、ダウンリンクおよび／またはアップリンク上でのデータ送信のためにＵＥをスケジュールし得る。
【００５６】
[0086]図５に、本開示の態様による、通信プロトコルスタックを実装するための例を示す図５００を示す。図示されている通信プロトコルスタックは、５Ｇシステム（たとえば、アップリンクベースのモビリティをサポートするシステム）において動作するデバイスによって実装され得る。図５００は、無線リソース制御（ＲＲＣ）レイヤ５１０と、パケットデータコンバージェンスプロトコル（ＰＤＣＰ）レイヤ５１５と、無線リンク制御（ＲＬＣ）レイヤ５２０と、媒体アクセス制御（ＭＡＣ）レイヤ５２５と、物理（ＰＨＹ）レイヤ５３０とを含む通信プロトコルスタックを示す。様々な例では、プロトコルスタックのレイヤは、ソフトウェアの別個のモジュール、プロセッサまたはＡＳＩＣの部分、通信リンクによって接続されたコロケートされていないデバイスの部分、あるいはそれらの様々な組合せとして実装され得る。コロケートされた実装形態およびコロケートされていない実装形態は、たとえば、ネットワークアクセスデバイス（たとえば、ＡＮ、ＣＵ、および／またはＤＵ）またはＵＥのためのプロトコルスタックにおいて使用され得る。
【００５７】
[0087]第１のオプション５０５−ａは、プロトコルスタックの実装が、集中型ネットワークアクセスデバイス（たとえば、図２中のＡＮＣ２０２）と分散型ネットワークアクセスデバイス（たとえば、図２中のＤＵ２０８）との間で分割された、プロトコルスタックの分割された実装形態を示す。第１のオプション５０５−ａでは、ＲＲＣレイヤ５１０およびＰＤＣＰレイヤ５１５は、中央ユニットによって実装され得、ＲＬＣレイヤ５２０、ＭＡＣレイヤ５２５、およびＰＨＹレイヤ５３０は、ＤＵによって実装され得る。様々な例では、ＣＵおよびＤＵは、コロケートされることもコロケートされないこともある。第１のオプション５０５−ａは、マクロセル、マイクロセル、またはピコセル展開において有用であり得る。
【００５８】
[0088]第２のオプション５０５−ｂは、プロトコルスタックが、単一のネットワークアクセスデバイス（たとえば、アクセスノード（ＡＮ）、新無線基地局（ＮＲ  ＢＳ）、新無線ノードＢ（ＮＲ  ＮＢ）、ネットワークノード（ＮＮ）など）において実装された、プロトコルスタックの統合された実装形態を示す。第２のオプションでは、ＲＲＣレイヤ５１０、ＰＤＣＰレイヤ５１５、ＲＬＣレイヤ５２０、ＭＡＣレイヤ５２５、およびＰＨＹレイヤ５３０は、各々ＡＮによって実装され得る。第２のオプション５０５−ｂは、フェムトセル展開において有用であり得る。
【００５９】
[0089]ネットワークアクセスデバイスが、プロトコルスタックの一部を実装するのか全部を実装するのかにかかわらず、ＵＥは、プロトコルスタック全体（たとえば、ＲＲＣレイヤ５１０、ＰＤＣＰレイヤ５１５、ＲＬＣレイヤ５２０、ＭＡＣレイヤ５２５、およびＰＨＹレイヤ５３０）を実装し得る。
【００６０】
[0090]図６は、ＤＬ中心サブフレーム６００の例示的なフォーマットを示す図である。ＤＬ中心サブフレーム６００は制御部分６０２を含み得る。制御部分６０２は、ＤＬ中心サブフレーム６００の初期部分または開始部分中に存在し得る。制御部分６０２は、ＤＬ中心サブフレーム６００の様々な部分に対応する様々なスケジューリング情報および／または制御情報を含み得る。いくつかの構成では、制御部分６０２は、図６に示されているように、物理ＤＬ制御チャネル（ＰＤＣＣＨ）であり得る。ＤＬ中心サブフレーム６００は、ＤＬデータ部分６０４をも含み得る。ＤＬデータ部分６０４は、時々、ＤＬ中心サブフレーム６００のペイロードと呼ばれることがある。ＤＬデータ部分６０４は、スケジューリングエンティティ（たとえば、ＵＥまたはＢＳ）から従属エンティティ（たとえば、ＵＥ）にＤＬデータを通信するために利用される通信リソースを含み得る。いくつかの構成では、ＤＬデータ部分６０４は、物理ＤＬ共有チャネル（ＰＤＳＣＨ）であり得る。
【００６１】
[0091]ＤＬ中心サブフレーム６００は、共通ＵＬ部分６０６をも含み得る。共通ＵＬ部分６０６は、ＵＬバースト、共通ＵＬバースト、および／または様々な他の好適な用語で呼ばれることがある。共通ＵＬ部分６０６は、ＤＬ中心サブフレーム６００の様々な他の部分に対応するフィードバック情報を含み得る。たとえば、共通ＵＬ部分６０６は、制御部分６０２に対応するフィードバック情報を含み得る。フィードバック情報の非限定的な例は、ＡＣＫ信号、ＮＡＣＫ信号、ＨＡＲＱインジケータ、および／または様々な他の好適なタイプの情報を含み得る。共通ＵＬ部分６０６は、ランダムアクセスチャネル（ＲＡＣＨ）プロシージャに関係する情報、スケジューリング要求（ＳＲ）、および様々な他の好適なタイプの情報など、追加または代替の情報を含み得る。図６に示されているように、ＤＬデータ部分６０４の終端は、共通ＵＬ部分６０６の始端から時間的に分離され得る。この時間分離は、ギャップ、ガード期間、ガードインターバル、および／または様々な他の好適な用語で呼ばれることがある。この分離は、ＤＬ通信（たとえば、従属エンティティ（たとえば、ＵＥ）による受信動作）からＵＬ通信（たとえば、従属エンティティ（たとえば、ＵＥ）による送信）への切替えのための時間を与える。当業者は、上記がＤＬ中心サブフレームの一例にすぎず、同様の特徴を有する代替構造が、本明細書で説明される態様から必ずしも逸脱することなしに存在し得ることを理解されよう。
【００６２】
[0092]図７は、ＵＬ中心サブフレーム７００の例示的なフォーマットを示す図である。ＵＬ中心サブフレーム７００は制御部分７０２を含み得る。制御部分７０２は、ＵＬ中心サブフレーム７００の初期部分または開始部分中に存在し得る。図７中の制御部分７０２は、図６を参照しながら上記で説明された制御部分６０２と同様であり得る。ＵＬ中心サブフレーム７００はＵＬデータ部分７０４をも含み得る。ＵＬデータ部分７０４は、ＵＬ中心サブフレーム７００のペイロードと呼ばれることがある。ＵＬ部分は、従属エンティティ（たとえば、ＵＥ）からスケジューリングエンティティ（たとえば、ＵＥまたはＢＳ）にＵＬデータを通信するために利用される通信リソースを指し得る。いくつかの構成では、制御部分７０２はＰＤＣＣＨであり得る。
【００６３】
[0093]図７に示されているように、制御部分７０２の終端は、ＵＬデータ部分７０４の始端から時間的に分離され得る。この時間分離は、ギャップ、ガード期間、ガードインターバル、および／または様々な他の好適な用語で呼ばれることがある。この分離は、ＤＬ通信（たとえば、スケジューリングエンティティによる受信動作）からＵＬ通信（たとえば、スケジューリングエンティティによる送信）への切替えのための時間を与える。ＵＬ中心サブフレーム７００は、共通ＵＬ部分７０６をも含み得る。図７中の共通ＵＬ部分７０６は、図６を参照しながら上記で説明された共通ＵＬ部分６０６と同様であり得る。共通ＵＬ部分７０６は、追加または代替の、チャネル品質インジケータ（ＣＱＩ）に関係する情報、サウンディング基準信号（ＳＲＳ）、および様々な他の好適なタイプの情報を含み得る。当業者は、上記がＵＬ中心サブフレームの一例にすぎず、同様の特徴を有する代替構造が、本明細書で説明される態様から必ずしも逸脱することなしに存在し得ることを理解されよう。
【００６４】
[0094]一例では、フレームは、ＵＬ中心サブフレームとＤＬ中心サブフレームとの両方を含み得る。この例では、フレーム中のＤＬサブフレームに対するＵＬ中心サブフレームの比率は、送信されるＵＬデータの量およびＤＬデータの量に基づいて動的に調整され得る。たとえば、より多くのＵＬデータがある場合、ＤＬサブフレームに対するＵＬ中心サブフレームの比率は増加され得る。逆に、より多くのＤＬデータがある場合、ＤＬサブフレームに対するＵＬ中心サブフレームの比率は減少され得る。
【００６５】
[0095]いくつかの状況では、２つまたはそれ以上の従属エンティティ（たとえば、ＵＥ）が、サイドリンク信号を使用して互いと通信し得る。そのようなサイドリンク通信の現実世界の適用例は、公共安全、近接サービス、ＵＥネットワーク間中継、車両間（Ｖ２Ｖ）通信、あらゆるモノのインターネット（ＩｏＥ）通信、ＩｏＴ通信、ミッションクリティカルメッシュ、および／または様々な他の好適な適用例を含み得る。概して、サイドリンク信号は、スケジューリングエンティティ（たとえば、ＵＥまたはＢＳ）が、スケジューリングおよび／または制御目的のために利用され得るが、スケジューリングエンティティを通してその通信を中継することなしに、ある従属エンティティ（たとえば、ＵＥ１）から別の従属エンティティ（たとえば、ＵＥ２）に通信される信号を指し得る。いくつかの例では、サイドリンク信号は、（一般に、無認可スペクトルを使用するワイヤレスローカルエリアネットワークとは異なり）認可スペクトルを使用して通信され得る。
【００６６】
[0096]ＵＥは、リソースの専用セットを使用してパイロットを送信することに関連する構成（たとえば、無線リソース制御（ＲＲＣ）専用状態など）、またはリソースの共通セットを使用してパイロットを送信することに関連する構成（たとえば、ＲＲＣ共通状態など）を含む、様々な無線リソース構成において動作し得る。ＲＲＣ専用状態において動作するとき、ＵＥは、ネットワークにパイロット信号を送信するためのリソースの専用セットを選択し得る。ＲＲＣ共通状態において動作するとき、ＵＥは、ネットワークにパイロット信号を送信するためのリソースの共通セットを選択し得る。いずれの場合も、ＵＥによって送信されたパイロット信号は、ＡＮ、またはＤＵ、あるいはそれらの部分など、１つまたは複数のネットワークアクセスデバイスによって受信され得る。各受信ネットワークアクセスデバイスは、リソースの共通セット上で送信されたパイロット信号を受信および測定し、また、ネットワークアクセスデバイスが、それについて、ＵＥのためのネットワークアクセスデバイスのモニタリングセットのメンバーであるＵＥに割り振られたリソースの専用セット上で送信されたパイロット信号を受信および測定するように構成され得る。受信ネットワークアクセスデバイスのうちの１つまたは複数、または（１つまたは複数の）受信ネットワークアクセスデバイスが、パイロット信号の測定値をそれに送信するＣＵは、ＵＥのためのサービングセルを識別するために、またはＵＥのうちの１つまたは複数のためのサービングセルの変更を開始するために、測定値を使用し得る。  
例示的な同期信号ブロック設計
【００６７】
[0097]いくつかの態様では、セル同期プロシージャは、ＵＥ（たとえば、ＵＥ１２０）によるセル探索および同期を容易にするためにＳＳＢ中で信号のセットをブロードキャストする基地局（たとえば、ＢＳ１１０）を伴い得る。
【００６８】
[0098]図８は、ＢＳ（たとえば、ＢＳ１１０）によってブロードキャストされるＳＳＢ８００の構造の一例を示す。ＳＳＢ８００の構成は、図８に示されているように、ＰＳＳ８１０と、ＳＳＳ８２０と、ＰＳＳ８１０とＳＳＳ８２０との間で多重化されたＰＢＣＨ８３０とを含む。ＰＢＣＨ８３０は、復調基準信号（ＤＭＲＳ）信号などの基準信号を含み得る。したがって、ＢＳ１１０によって送信された各ＳＳＢ８００は、ＵＥ１２０が、ＰＳＳ８１０に基づくシンボルタイミング、ＰＳＳ８１０およびＳＳＳ８２０に基づくセル識別情報、ならびにＰＢＣＨ８３０中で送られるマスタ情報ブロック（ＭＩＢ）に基づく初期セルアクセスのために必要とされる他のパラメータなど、システムタイミング情報を決定するのを助け得る。
【００６９】
[0099]いくつかの実装形態では、図８に見られるように、ＰＳＳ８１０およびＳＳＳ８２０は各々、時間領域中で１つのシンボルを占有し、ＰＢＣＨ８３０は、２つのシンボルを占有するが、２つの部分にスプリットされ、第１のハーフがＰＳＳ８１０とＳＳＳ８２０との間の１つのシンボル中にあり、第２のハーフがＳＳＳ８２０の後の第２のシンボル中にある。周波数領域では、ＰＳＳ８１０およびＳＳＳ８２０は各々、１２７個のリソース要素またはサブキャリアを占有し得、ＰＢＣＨ８３０は２８８個のリソース要素を占有し得る。いくつかの実施形態では、リソース要素は、リソースブロックの１つサブキャリア中の１つシンボルを指す。たとえば、リソースブロックが１２個のサブキャリアと７つのシンボルとを備えるとき、リソースブロックは、ノーマルサイクリックプレフィックスの場合は８４個の（１２個のサブキャリア＊７つのシンボルの）リソース要素を備え得る（拡張ＣＰの場合は７２個）。ＳＳＢ８００の周波数ロケーションは、必ずしも周波数帯域の中心の６つのリソースブロック中にあるとは限らず、同期ラスタに応じて変動し得、チャネルラスタパラメータの関数であり得る。
【００７０】
[0100]基地局１１０は、ＵＥ１２０にシステムと同期するための機会を与えるためにＳＳＢ８００を周期的に送信し得る。いくつかの態様では、基地局１１０は、たとえば、５ｍｓごとにＰＳＳおよびＳＳＳの１つのインスタンスのみを送信する代わりに、同期信号バースト（ＳＳバースト）中でＳＳＢの複数のインスタンスを送信し得る。ＳＳバースト中で、複数のＳＳＢ送信が５ｍｓの時間ウィンドウ内で送られ得る。複数のＳＳＢ送信は、異なるロケーション中のＵＥに対するカバレージ拡張および／または指向性ビームを可能にし得る。たとえば、ＢＳは、空間的に異なるロケーションを対象とする異なる送信ビームを使用してＳＳＢを送信し得、それによって、それらの異なるロケーションの各々中のＵＥがＳＳＢを受信することを可能にする。しかしながら、ＢＳ１１０は、特定の時間フレーム内で送信され得るＳＳＢの数に関してあらかじめ定義されたルールによって限定され得る。その限定は、システムによって使用される特定のサブキャリア間隔とシステムが動作する周波数帯域とを含む、様々なファクタに基づき得る。
【００７１】
[0101]図９に、様々なシステムパラメータに基づくＳＳＢ送信機会のパターンの例示的な構成９００を示す。図９に示されているように、ＢＳ１１０のためのＳＳＢ送信機会の数と測定ウィンドウ（たとえば、５ｍｓのウィンドウ）内のＳＳＢ送信機会の対応するロケーションとは、ＢＳによって採用されるサブキャリア間隔とＢＳが動作する周波数帯域とに依存し得る。ＵＥは、周期的に構成された発見基準信号（ＤＲＳ）測定タイミング構成（ＤＭＴＣ）期間ウィンドウに従ってセルＤＲＳを測定し得る。
【００７２】
[0102]ＤＭＴＣは、サービングセルまたはネイバーセル、あるいは両方の測定のために構成され得る。さらに、ＤＭＴＣは、様々な例では、周波数固有であり得るか、または複数の周波数に適用可能であり得る。各構成におけるスロットの長さは、その構成において使用されるサブキャリア間隔に応じて変動し得る。構成９１０では、１２０ｋＨｚのサブキャリア間隔が６ＧＨｚ超周波数帯域（たとえば、６０ＧＨｚ周波数帯域）内で使用される。５ｍｓのウィンドウ内に、この構成９１０における基地局１１０は、Ｌ＝６４個のＳＳＢ（すなわち、スロットごとに２つのＳＳＢ）を送信することを可能にされ得、それらのＳＳＢは、ＳＳＢのための割り振られたリソースの特定のパターンに従って送信されることを必要とされ得る。
【００７３】
[0103]構成９２０では、２４０ｋＨｚのサブキャリア間隔が６ＧＨｚ超（たとえば、６０ＧＨｚ）の周波数帯域内で使用され、ＳＳＢ送信の最大数はＬ＝６４であり、それらのＳＳＢ送信は、ＳＳＢのための割り振られたリソースの特定のパターンに従って送信されることを必要とされ得る。６４個のＳＳＢは、ＳＳバーストセットと呼ばれることがある。測定ウィンドウ内で可能にされるＳＳＢのパターンおよび最大数は、他の構成では、使用されるサブキャリア間隔と、基地局１１０およびＵＥ１２０が動作する周波数帯域とに応じて変動し得る。
【００７４】
[0104]図１０に、周波数および時間リソース（たとえば、シンボル）に関するＳＳＢ送信機会の例示的な構成１０００を示す。簡単のために、図１０に、３つのＳＳＢ送信機会を示すが、ＳＳバーストセット内のＳＳＢ送信機会の数は、６ＧＨｚの周波数帯域を超えた動作の場合はＳＳバーストセット中でＬ＝６４個のＳＳブロックになるなど、より多くなり得る（３ＧＨｚを下回るキャリア周波数の場合、Ｌは４になり得、３ＧＨｚと６ＧＨｚとの間のキャリア周波数の場合、Ｌは８になり得る）。場合によっては、ＳＳＢ送信のために割り振られた測定ウィンドウ内にあらかじめ定義されたロケーションがあり得る。たとえば、ＳＳＢ送信機会１０１０、１０２０、および１０３０に対応するリソースが、ＳＳＢを送信することに割り振られ得、基地局は、ＳＳＢ送信機会１０１０、１０２０、または１０３０のすべて、以外、または任意の組合せで送信することを選定し得る。
【００７５】
[0105]基地局１１０は、ＳＳＢ送信機会１０２０中で送信することを控えながらＳＳＢ送信機会１０１０および１０３０中でＳＳＢを送信することを選定し得る。このシナリオでは、基地局１１０は、「論理的に連続しない」方式でＳＳＢ送信機会１０１０および１０３０中でＳＳＢを送信し、すなわち、基地局１１０がＳＳＢを送信しないＳＳＢ送信機会（１０１０と１０３０と）の間に（たとえば、ＳＳＢ送信機会１０２０に対応する）介在するＳＳＢ送信機会があり得る。代替的に、基地局１１０は、代わりに、ＳＳＢ送信機会１０１０および１０２０中でＳＳＢを送信し得、その場合、送信されるＳＳＢは論理的に連続すると見なされる。
【００７６】
[0106]上記で説明したように、セルへの最初のアクセスの場合、ＵＥは、システム情報を取得し得る。システム情報は、場合によっては、最小システム情報（ＭＳＩ）ならびに他のシステム情報（ＯＳＩ）を含み得る。ＭＳＩを使用して、ＵＥは、セルとともにランダムアクセスチャネル（ＲＡＣＨ）プロシージャを実行することが可能である。場合によっては、ＭＳＩは、（ＬＴＥにおけるマスタ情報ブロック（ＭＩＢ）と同様の）ＰＢＣＨによって搬送される情報ならびに残存最小システム情報（ＲＭＳＩ）を含む。（ＭＩＢと同様の）ＰＢＣＨによって搬送される情報は、セル（ＢＳ）から他の情報を取得するためにＵＥによって使用される情報である。ＲＭＳＩは、セル（ＢＳ）へのＵＥのアクセスに関係する情報ならびにセル中のすべてのＵＥのための共通の無線リソース構成を含む。ＲＭＳＩは、システム情報ブロック１（ＳＩＢ１）と互換的に呼ばれることがあり、ＲＭＳＩ  ＣＯＲＥＳＥＴは、タイプ０物理ダウンリンク制御チャネル（ＰＤＣＣＨ）共通探索空間ＣＯＲＥＳＥＴ（すなわち、タイプ０物理ダウンリンク制御チャネル（ＰＤＣＣＨ）共通探索空間のためのＣＯＲＥＳＥＴ構成）と互換的に呼ばれることがあり、ＯＳＩ  ＣＯＲＥＳＥＴは、タイプ０ａ物理ダウンリンク制御チャネル（ＰＤＣＣＨ）共通探索空間ＣＯＲＥＳＥＴと互換的に呼ばれることがある。ＲＭＳＩは、上記で説明されたように、物理ダウンリンク共有チャネル（ＰＤＳＣＨ）によって搬送される。ＵＥは、ＰＤＣＣＨ中で送られた情報に基づいてＰＤＳＣＨのリソースを使用して通信するようにスケジュールされる。ＰＤＳＣＨはまた、ＯＳＩを搬送し得る。
【００７７】
[0107]ＲＭＳＩをスケジュールするＰＤＣＣＨリソースは、ＳＳＢに関連するＲＭＳＩ  ＰＤＣＣＨモニタリングウィンドウ内の制御リソースセット（ＣＯＲＥＳＥＴ）中でＢＳによって送信され得る。言い換えれば、ＰＤＣＣＨは、ＣＯＲＥＳＥＴにマッピングされる。ＲＭＳＩ  ＰＤＣＣＨモニタリングウィンドウは、オフセットと、持続時間（たとえば、長さ）と、周期とを有する。
【００７８】
[0108]ＣＯＲＥＳＥＴは、周波数領域および時間領域に関して定義され得る。周波数領域では、ＣＯＲＥＳＥＴは、ＣＯＲＥＳＥＴ帯域幅と呼ばれることがあるリソースブロック（ＰＲＢ）の数（たとえば、２４個のＰＲＢ、４８個のＰＲＢ）によって定義される（たとえば、６つのＰＲＢの倍数）。場合によっては、ＰＲＢは、連続していることも連続していないこともある。時間領域中で、ＣＯＲＥＳＥＴは、ＯＦＤＭシンボルの数によって定義される。シンボルは、時間リソースを指す。たとえば、タイムスロット中のダウンリンク制御領域は、最高３つのＯＦＤＭシンボルを有し得る。いくつかの実施形態では、ＣＯＲＥＳＥＴは、１つのシンボルのＣＯＲＥＳＥＴ、２つのシンボルのＣＯＲＥＳＥＴ、または３つのシンボルＣＯＲＥＳＥＴであり得る。
【００７９】
[0109]場合によっては、ＲＭＳＩ  ＣＯＲＥＳＥＴは、ＲＭＳＩを搬送するＰＤＳＣＨをスケジュールするためのＰＤＣＣＨリソースがマッピングされるＣＯＲＥＳＥＴである。場合によっては、ＲＭＳＩ  ＣＯＲＥＳＥＴ構成は、ＳＳＢによって搬送されるＰＢＣＨ中でシグナリングされ得る。ＲＭＳＩ  ＣＯＲＥＳＥＴ構成は、ＲＭＳＩ  ＣＯＲＥＳＥＴ帯域幅（ＢＷ）（たとえば、ＲＭＳＩ  ＣＯＲＥＳＥＴ中のＲＭＳＩ  ＣＯＲＥＳＥＴ  ＰＲＢの数は、ＲＭＳＩ  ＣＯＲＥＳＥＴ帯域幅（ＢＷ）と呼ばれることがある）と、ＲＭＳＩ周波数オフセット値と、ＯＦＤＭシンボルとに関係する情報を含み得る。場合によっては、ＯＳＩ  ＣＯＲＥＳＥＴは、ＯＳＩを搬送するＰＤＳＣＨをスケジュールするためのＰＤＣＣＨリソースがマッピングされるＣＯＲＥＳＥＴである。
【００８０】
[0110]本明細書で説明するいくつかの実施形態は、ＵＥなどのワイヤレス通信デバイスが、周波数および時間領域中でのＲＭＳＩ  ＣＯＲＥＳＥＴとＯＳＩ  ＣＯＲＥＳＥＴとのロケーションを決定することを可能にすることを対象とする。ＲＭＳＩ  ＣＯＲＥＳＥＴを受信することによって、ＵＥは、どのＵＥがＲＭＳＩを搬送するＰＤＳＣＨを受信し、復号することが可能であるのかに基づいてＲＭＳＩ（タイプ０  ＰＤＣＣＨ共通探索空間）ＣＯＲＥＳＥＴ中でＰＤＣＣＨ（タイプ０  ＰＤＣＣＨ）を受信することが可能になる。また、ＵＥは、周波数および時間領域中でのＲＭＳＩ  ＣＯＲＥＳＥＴのロケーションに基づいて周波数および時間領域中でのＯＳＩ  ＣＯＲＥＳＥＴのロケーションを決定し得る。
【００８１】
[0111]本明細書では、周波数領域と時間領域との中でのＲＭＳＩ  ＣＯＲＥＳＥＴのロケーションが、それぞれ、ＲＭＳＩ  ＣＯＲＥＳＥＴの周波数ロケーションおよび時間ロケーションと互換的に呼ばれることがあることに注意されたい。また、本明細書では、周波数領域と時間領域との中でのＯＳＩ  ＣＯＲＥＳＥＴのロケーションが、それぞれ、ＯＳＩ  ＣＯＲＥＳＥＴの周波数ロケーションおよび時間ロケーションと互換的に呼ばれることがあることに注意されたい。  
例示的なＲＭＳＩオフセット設計
【００８２】
[0112]いくつかの実施形態では、周波数および時間領域中でのＲＭＳＩ  ＣＯＲＥＳＥＴのロケーションを決定することは、周波数および時間領域中でのＳＳＢ送信のロケーションに基づき得る。
【００８３】
[0113]図１１は、ワイヤレス通信のための例示的な動作１１００を示す流れ図である。動作１１００は、周波数領域中でのＲＭＳＩ  ＣＯＲＥＳＥＴのロケーションを決定するために、たとえば、ＵＥ（たとえば、ＵＥ１２０）によって実行され得る。動作１１００は、１１０２において、同期信号ブロック（ＳＳＢ）によって搬送される物理ブロードキャストチャネル（ＰＢＣＨ）中でタイプ０物理ダウンリンク制御チャネル（ＰＤＣＣＨ）共通探索空間制御リソースセット（ＣＯＲＥＳＥＴ）構成と物理リソースブロック（ＰＲＢ）グリッドオフセットとを受信すること、タイプ０  ＰＤＣＣＨ共通探索空間ＣＯＲＥＳＥＴ構成が、ＳＳＢのＰＲＢの周波数ロケーションに対するタイプ０  ＰＤＣＣＨ共通探索空間ＣＯＲＥＳＥＴリソースブロック（ＰＲＢ）の周波数ロケーションに関係する１つまたは複数のオフセットに対応する１つまたは複数のオフセット値を示すインジケーションを備える、を行うことによって開始する。１１０４において、動作１１００は、ＰＲＢグリッドオフセットを適用することによってタイプ０  ＰＤＣＣＨ共通探索空間ＣＯＲＥＳＥＴのＰＲＢグリッドとＳＳＢのＰＲＢグリッドをアラインすることによって続く。１１０６において、動作１１００は、ＵＥによって記憶されたマッピングを使用して１つまたは複数のオフセット値にインジケーションをマッピングすることによって続く。１１０８において、動作１１００は、１つまたは複数のオフセット値とＳＳＢ  ＰＲＢの周波数ロケーションとに基づいてタイプ０  ＰＤＣＣＨ共通探索空間ＣＯＲＥＳＥＴ  ＰＲＢの周波数ロケーションを決定することによって続く。１１１０において、動作１１００は、タイプ０  ＰＤＣＣＨ共通探索空間ＣＯＲＥＳＥＴ中でタイプ０  ＰＤＣＣＨを受信することによって続く。
【００８４】
[0114]図１１Ａに、図１１に示される動作のうちの１つまたは複数など、本明細書で開示される技法のための動作を実行するように構成された（たとえば、ミーンズプラスファンクション構成要素に対応する）様々な構成要素を含み得るワイヤレス通信デバイス１１００Ａを示す。通信デバイス１１００Ａは、トランシーバ１１１２に結合された処理システム１１１４を含む。トランシーバ１１１２は、アンテナ１１１３を介して通信デバイス１１００Ａのための信号を送信および受信するように構成される。処理システム１１１４は、処理信号などの通信デバイス１１００Ａのための処理機能を実行するように構成され得る。
【００８５】
[0115]処理システム１１１４は、バス１１２１を介してコンピュータ可読媒体／メモリ１１１１に結合されたプロセッサ１１０９を含む。いくつかの態様では、コンピュータ可読媒体／メモリ１１１１は、プロセッサ１１０９によって実行されたとき、プロセッサ１１０９に、図１１に示す動作のうちの１つもしくは複数または本明細書で説明される様々な技法を実行するための他の動作を実行させる命令を記憶するように構成される。
【００８６】
[0116]いくつかの態様では、処理システム１１１４は、図１１中の１１０２に示す動作のうちの１つまたは複数を実行するための受信構成要素１１２０をさらに含む。さらに、処理システム１１１４は、図１１中の１１０４に示す動作のうちの１つまたは複数を実行するためのアライン構成要素１１２２を含む。さらに、処理システム１１１４は、図１１中の１１０６に示す動作のうちの１つまたは複数を実行するためのマッピング構成要素１１２４を含む。また、処理システム１１１４は、図１１中の１１０８に示す動作のうちの１つまたは複数を実行するための決定構成要素１１２６を含む。さらに、処理システム１１１４は、図１１中の１１１０に示す動作のうちの１つまたは複数を実行するための受信構成要素１１２８を含む。
【００８７】
[0117]受信構成要素１１２０、アライン構成要素１１２２、マッピング構成要素１１２４、決定構成要素１１２６、および受信構成要素１１２８は、バス１１２１を介してプロセッサ１１０９に結合され得る。いくつかの態様では、受信構成要素１１２０、アライン構成要素１１２２、マッピング構成要素１１２４、決定構成要素１１２６、および受信構成要素１１２８は、ハードウェア回路であり得る。いくつかの態様では、受信構成要素１１２０、アライン構成要素１１２２、マッピング構成要素１１２４、決定構成要素１１２６、および受信構成要素１１２８は、プロセッサ１１０９上で実行され、動作するソフトウェア構成要素であり得る。
【００８８】
[0118]周波数領域中でのＲＭＳＩ  ＣＯＲＥＳＥＴのロケーションを決定することに関して、上記で説明したように、ＵＥは、ＰＢＣＨ中でＰＲＢグリッドオフセットおよびＲＭＳＩ  ＣＯＲＥＳＥＴ構成を受信し得、これは、上記で説明したように、１つまたは複数のＲＭＳＩ周波数オフセット値のインジケーションを含む。ＵＥは、最初に、ＰＲＢグリッドオフセットを適用することによってＲＭＳＩ  ＣＯＲＥＳＥＴのＰＲＢグリッドとＳＳＢのＰＲＢグリッドをアラインし得る。ＳＳＢのＰＲＢグリッドは、周波数帯域幅全体に対応するより大きい周波数リソースグリッド上の、ＳＳＢを送信するために割り振られたＰＲＢのセットを指す。同様に、ＲＭＳＩ  ＣＯＲＥＳＥＴのＰＲＢグリッドは、周波数帯域幅全体に対応するより大きい周波数リソースグリッド上の、ＲＭＳＩ  ＣＯＲＥＳＥＴを送信するために割り振られたＰＲＢのセットを指す。ＵＥは、次いで、ＳＳＢ周波数ロケーションに関するＲＭＳＩ  ＣＯＲＥＳＥＴ周波数ロケーションのインジケーションを与えるＲＭＳＩ  ＣＯＲＥＳＥＴ帯域幅ならびに周波数オフセット値を決定するためにインジケーションを使用し得る。
【００８９】
[0119]たとえば、いくつかの実施形態では、ＲＭＳＩ  ＣＯＲＥＳＥＴは、ＳＳＢと時分割多重化（ＴＤＭ）され得る。いくつかの実施形態では、（ＰＢＣＨ中でシグナリングされるＰＲＢグリッドオフセットを使用してＲＭＳＩ  ＣＯＲＥＳＥＴ  ＰＲＢグリッドと物理リソースブロック（ＰＲＢ）グリッドをアラインした後の）ＲＭＳＩ  ＣＯＲＥＳＥＴとＳＳＢとの間の周波数オフセットは、ＳＳＢの最低の（すなわち、最小の）ＰＲＢ（すなわち、ＰＲＢ０）からＲＭＳＩ  ＣＯＲＥＳＥＴの最低の（すなわち、最小の）ＰＲＢ（すなわち、ＰＲＢ０）までの周波数差であり得る。一例として、ＳＳＢのＰＲＢグリッドとＲＭＳＩ  ＣＯＲＥＳＥＴのＰＲＢグリッドとがアラインしされるとき、ゼロのオフセット値は、ＳＳＢの最低の（すなわち、最小の）ＰＲＢとＲＭＳＩ  ＣＯＲＥＳＥＴの最低の（すなわち、最小の）ＰＲＢとが同じインデックス番号または周波数を有することを示し得る。
【００９０】
[0120]図１２Ａ〜図１２Ｃの各々に、いくつかの連続するＳＳＢ  ＰＲＢといくつかの連続するＲＭＳＩ  ＣＯＲＥＳＥＴ  ＰＲＢとをそれぞれ含むＰＲＢグリッドを示す。図１２Ａ〜図１２Ｃの各々に示されるように、ＳＳＢ  ＰＲＢとＲＭＳＩ  ＣＯＲＥＳＥＴ  ＰＲＢとは、それらが最大数の重複するＰＲＢを有するように選択される。たとえば、各ＰＲＢグリッド中の第１の列（列１２０２ａ、１２０２ｂ、および１２０２ｃ）に、（たとえば、影付きとして示される）ＳＳＢ  ＰＲＢを含む（行として示される）ＰＲＢを示す。各ＰＲＢグリッド中の残りの列（列１２０４ａ、１２０４ｂ、および１２０４ｃ）の各々に、（たとえば、影付きとして示される）ＲＭＳＩ  ＣＯＲＥＳＥＴ  ＰＲＢを含むＰＲＢを示す。第１の列（たとえば、１２０２ａ、１２０２ｂまたは１２０２ｃ）から右に向かう列は、（ＲＢに対応しないが、ＰＲＢグリッドのためのラベルであるグリッドの最後の行に示すように）０、１、．．．ｎまで順序付けされており、これは、ＲＭＳＩ  ＣＯＲＥＳＥＴ  ＰＲＢを決定するために使用されるオフセットに対応する。異なる列は、異なる時間における送信を暗示することを意図していない。図示のように、可能なオフセットの数は、ＲＭＳＩ  ＣＯＲＥＳＥＴ  ＰＲＢがＳＳＢ  ＰＲＢと完全に重複するあらゆるオフセット値である。
【００９１】
[0121]たとえば、図１２Ａでは、２０個のＳＳＢ  ＰＲＢと２４個のＲＭＳＩ  ＣＯＲＥＳＥＴ  ＰＲＢとがある。ＳＳＢ  ＰＲＢとＲＭＳＩ  ＣＯＲＥＳＥＴ  ＰＲＢとの間でＰＲＢが重複する数を最大化するために、２４個のＲＭＳＩ  ＣＯＲＥＳＥＴ  ＰＲＢが選択され、各々があるオフセットに対応する５つの異なるシナリオのうちの１つ中で送信され得る。第１のシナリオでは、ＳＳＢの開始ＰＲＢ（ＰＲＢ０）は、ＲＭＳＩ  ＣＯＲＥＳＥＴの開始ＰＲＢと同じである。そのような例では、ＳＳＢ  ＰＲＢに関するＲＭＳＩ  ＣＯＲＥＳＥＴの周波数オフセットは０（ゼロ）である。第２のシナリオでは、ＲＭＳＩ  ＣＯＲＥＳＥＴ周波数は、ＳＳＢの開始ＰＲＢ（ＰＲＢ０）を下回るＰＲＢとして開始する。そのような例では、ＳＳＢ  ＰＲＢに関するＲＭＳＩ  ＣＯＲＥＳＥＴの周波数オフセットは１である。図１２Ａに示すように、ＲＭＳＩ  ＣＯＲＥＳＥＴ送信のために使用されるサブキャリア間隔は、ＳＳＢ送信のために使用されるサブキャリア間隔と同じである。しかしながら、図１２Ｂおよび図１２Ｃでは、ＲＭＳＩ  ＣＯＲＥＳＥＴ送信のために使用されるサブキャリア間隔（ＳＣＳ）は、ＳＳＢ送信のために使用されるサブキャリア間隔と異なる。たとえば、図１２Ｂでは、ＲＭＳＩ  ＳＣＳは、ＳＳＢ  ＳＣＳの１／２である。図１２Ｃでは、ＲＭＳＩ  ＳＣＳは、ＳＳＢ  ＳＣＳのそれの２倍である。したがって、図１２Ｂでは、ＲＭＳＩ  ＣＯＲＥＳＥＴの各連続は、周波数でＳＳＢのＳＣＳの１／２のＲＭＳＩ  ＣＯＲＥＳＥＴのシフトである。さらに、図１２Ｃでは、ＲＭＳＩ  ＣＯＲＥＳＥＴの各連続は、周波数でＳＳＢのＳＣＳの２倍のＲＭＳＩ  ＣＯＲＥＳＥＴのシフトである。本明細書における実施形態では、ＲＭＳＩ（すなわち、タイプ０  ＰＤＣＣＨ共通探索空間）ＣＯＲＥＳＥＴのサブキャリア間隔は、ＰＤＣＣＨ（たとえば、タイプ０  ＰＤＣＣＨ）のサブキャリア間隔によって定義されることに留意されたい。言い換えれば、タイプ０  ＰＤＣＣＨ共通探索空間ＣＯＲＥＳＥＴのサブキャリア間隔は、タイプ０  ＰＤＣＣＨのサブキャリア間隔と同じであり得る。
【００９２】
[0122]いくつかの実施形態では、周波数オフセットは、ＲＭＳＩ  ＣＯＲＥＳＥＴサブキャリア間隔（ＳＣＳ）に関してＰＲＢの整数倍のステップである。言い換えれば、周波数オフセットのオフセット値は、オフセットステップの倍数単位であり、ＲＭＳＩ  ＣＯＲＥＳＥＴの少なくともオフセットステップサイズおよびサブキャリア間隔（ＳＣＳ）に基づく。いくつかの実施形態では、周波数オフセットのオフセット値はまた、ＲＭＳＩ  ＣＯＲＥＳＥＴ帯域幅に依存する。いくつかの実施形態では、オフセットステップサイズは、ＲＭＳＩ  ＣＯＲＥＳＥＴ帯域幅またはＳＳＢ  ＳＣＳまたはＲＭＳＩ  ＳＣＳまたはそれらの任意の組合せに依存する。オフセットステップサイズは、１つのＰＲＢ以上（たとえば、２つのＰＲＢ、６つのＰＲＢ、８つのＰＲＢなど）であり得る。
【００９３】
[0123]ＲＭＳＩ  ＣＯＲＥＳＥＴを受信しているＵＥ（たとえば、１２０）がＲＭＳＩ  ＣＯＲＥＳＥＴ周波数リソースのロケーションを決定することが可能であるために、いくつかの実施形態では、ＢＳ（たとえば、１１０）は、ＵＥにＲＭＳＩ  ＣＯＲＥＳＥＴ  ＰＲＢとＳＳＢ  ＰＲＢとの間のオフセットに対応するオフセット値のインジケーションを送信し得る。このインジケーションは、ＳＳＢによって搬送されるＰＢＣＨ中でＲＭＳＩ  ＣＯＲＥＳＥＴ構成によって搬送され得る。そのような実施形態では、ＲＭＳＩ  ＣＯＲＥＳＥＴ  ＳＣＳを知ると、ＵＥは、次いで、あるＲＭＳＩ  ＣＯＲＥＳＥＴ  ＢＷおよびオフセット値にインジケーション中に含まれている情報をマッピングするために（たとえば、ハッシュ関数、ハッシュマップまたは任意の他のタイプのマッピングなどの）マッピングを使用し得る。次に、ＵＥは、（ＵＥに知られている）ＳＳＢのＰＲＢのロケーションを使用し、ＲＭＳＩ  ＣＯＲＥＳＥＴ  ＰＲＢのロケーションを決定するために受信されたオフセット値を適用し得る。
【００９４】
[0124]しかしながら、説明されたように、ＲＭＳＩ  ＳＣＳに応じてＲＭＳＩ  ＣＯＲＥＳＥＴには多数の可能な周波数オフセット値があり得る。図１３に、ＢＳが（ＲＳＭＩ  ＣＯＲＥ  ＳＥＴ  ＳＣＳおよびＲＭＳＩ  ＣＯＲＥＳＥＴ  ＢＷに応じて）様々なシナリオにおけるインジケーション中でＵＥに示し得る可能ないくつかの周波数オフセット値を示す例示的な表１３００を示す。図示のように、ＲＭＳＩ  ＣＯＲＥＳＥＴ  ＳＣＳに応じて、ＢＳがＵＥに示すために多数の可能な周波数オフセット値があり得る。たとえば、ＲＭＳＩ  ＣＯＲＥＳＥＴ  ＢＷが２４であり、ＳＳＢ  ＢＷが２０であり、ＲＭＳＩ  ＣＯＲＥＳＥＴ  ＳＣＳ＝ＳＳＢ  ＳＣＳである場合、ＲＭＳＩ  ＣＯＲＥＳＥＴのために５つの可能なオフセット値がある。さらに、ＲＭＳＩ  ＣＯＲＥＳＥＴ  ＢＷが４８であり、ＳＳＢ  ＢＷが２０であり、ＲＭＳＩ  ＣＯＲＥＳＥＴ  ＳＣＳ＝ＳＳＢ  ＳＣＳである場合、ＲＭＳＩ  ＣＯＲＥＳＥＴのために２９個の可能なオフセット値がある。そのような場合、ＲＭＳＩ  ＣＯＲＥＳＥＴ  ＰＲＢのロケーションを決定するためにＵＥによって使用されるマッピングが表１３００に示すオフセット値に基づく場合、ＢＳは、相応して、オフセット値およびＲＭＳＩ  ＣＯＲＥＳＥＴ  ＢＷを示すインジケーションをＵＥに送信するために多数のビット（たとえば、５＋２９＝ＲＭＳＩ  ＣＯＲＥＳＥＴ  ＳＣＳのための３４個の可能な組合せ＝ＳＳＢ  ＳＣＳを表す６ビット）を使用する必要があり得る。しかしながら、インジケーション中で多数のビットを送信することは準最適であり得る。さらに、いくつかの組合せについて、いくつかの周波数オフセットが、構成シグナリングオーバーヘッドをさらに低減するために構成から除外される可能性がある。
【００９５】
[0125]したがって、いくつかの実施形態では、ＵＥは、ＢＳがより効率的でより少ないリソース消費の方式でＵＥにインジケーションを送信することを可能にするマッピングで構成され得る。より詳細には、マッピングにより、インジケーション中でオフセット値を示すためにより少ない数のビットがＵＥに送られることが可能になる。
【００９６】
[0126]図１４に、ＢＳが（ＲＳＭＩ  ＣＯＲＥＳＥＴ  ＳＣＳおよびＲＭＳＩ  ＣＯＲＥＳＥＴ  ＢＷに応じて）様々なシナリオにおけるインジケーション中でＵＥに示し得るより少ない可能ないくつかの周波数オフセット値を示す例示的な表１４００を示す。したがって、表１４００に示す構成およびオフセット値に基づくマッピングにより、より少ない数のビットがＵＥへのインジケーション中にＢＳによって送信されることが可能になる。
【００９７】
[0127]図示のように、表は、ＲＭＳＩ  ＣＯＲＥＳＥＴのＳＣＳとＳＳＢのＳＣＳとに応じて異なるＲＭＳＩ周波数オフセット値を与える。しかしながら、図１３の表１３００と比較して、表１４００のオフセットステップは、表１３００のオフセットステップよりも大きい。たとえば、ＲＭＳＩ  ＳＣＳ＝ＳＳＢ  ＳＣＳであり、ＲＭＳＩ  ＣＯＲＥＳＥＴ帯域幅が２４個のＰＲＢである場合、図１２Ａに示すように、オフセットステップは２として構成され得る。したがって、オフセット値は、表１３００に示すような０、１、２、３、および４ではなくＰＲＢ中に０、２、および４（３つのみのオフセット値）であり得る。別の例では、ＲＭＳＩ  ＳＣＳ＝ＳＳＢ  ＳＣＳであり、ＲＭＳＩ  ＣＯＲＥＳＥＴ帯域幅が４８である場合、図示のように、オフセットステップは６になり得る。したがって、オフセット値は、表１３００に示すような０〜２８（２９個のオフセット値）ではなく０、６、１２、１８、２４（５つのみのオフセット値）であり得る。したがって、上記で説明したように、表１４００に示す構成およびオフセット値に基づくマッピングでＵＥとＢＳとを構成することにより、ＵＥがオフセット値を決定することを依然として可能にしながら、（ＲＭＳＩ  ＣＯＲＥＳＥＴ構成によって搬送されるインジケーション中での）ＵＥへのより少数のビットの送信が可能になる。たとえば、ＲＭＳＩ  ＣＯＲＥＳＥＴ  ＰＲＢのロケーションを決定するためにＵＥによって使用されるマッピングが表１４００に示されたオフセット値に基づく場合、ＢＳは、相応して、オフセット値およびＲＭＳＩ  ＣＯＲＥＳＥＴ  ＢＷを示すインジケーションをＵＥに送信するためにより少数のビット（たとえば、３＋５＝ＲＭＳＩ  ＣＯＲＥＳＥＴ  ＳＣＳのための８個の可能な組合せ＝ＳＳＢ  ＳＣＳを表す３ビット）を使用する必要があり得る。これらのより少数のビットは、ＲＭＳＩ  ＣＯＲＥＳＥＴ  ＢＷとＲＭＳＩ  ＣＯＲＥＳＥＴのためのオフセット値とを示すためにＲＭＳＩ  ＣＯＲＥＳＥＴ構成中に含まれるものであり得る。説明したように、ＵＥは、ＲＭＳＩ  ＣＯＲＥＳＥＴ  ＢＷおよびオフセット値にＲＭＳＩ  ＣＯＲＥＳＥＴ構成中で受信されたビットをマッピングする表、ハッシュ関数などを含み得る。特に、ＲＭＳＩ  ＣＯＲＥＳＥＴ構成中で受信されたビットはオフセット値に直接対応しないことがあり、ビット値が、直接的にオフセット値でないことを意味する。
【００９８】
[0128]いくつかの実施形態では、ＲＭＳＩ  ＣＯＲＥＳＥＴおよびＳＳＢがＴＤＭされるのではなく、ＲＭＳＩ  ＣＯＲＥＳＥＴとＳＳＢとが周波数分割多重化（ＦＤＭ）され得る。図１５に、ＲＭＳＩ  ＣＯＲＥＳＥＴがＳＳＢとどのようにＦＤＭされ得るのかの３つの例を示す。行の各列は、周波数ロケーション（たとえば、ＰＲＢ）を表す。ＲＭＳＩ  ＣＯＲＥＳＥＴがＳＳＢとＦＤＭされ得る異なる方法の一例を示す３つの行の各々は、ＵＥによって同時に受信される周波数リソース（そのうちのいくつかは、ＲＭＳＩ  ＣＯＲＥＳＥＴのために使用され、そのうちのいくつかはＳＳＢのためにユーザ）を表す。図示のように、ＲＭＳＩ  ＣＯＲＥＳＥＴは、ＳＳＢの上部の周波数、下部の周波数、または両側（上部と下部との周波数）中でＦＤＭされ得る。たとえば、ＲＭＳＩ  ＣＯＲＥＳＥＴ１５０４ａは、例（ａ）ではＳＳＢの上側１５０２ａでＦＭＤされる。例（ｂ）では、ＲＭＳＩ  ＣＯＲＥＳＥＴ１５０４ｂは、ＳＳＢの下側１５０２ｂでＦＤＭされる。例（ｃ）では、ＲＭＳＩ  ＣＯＲＥＳＥＴ１５０４ｃは、ＳＳＢの両側１５０２ｃでＦＤＭされる。
【００９９】
[0129]ＲＭＳＩ  ＣＯＲＥＳＥＴがＳＳＢとＦＤＭされるとき、ＲＭＳＩ  ＣＯＲＥＳＥＴ構成は、ＲＭＳＩ  ＣＯＲＥＳＥＴ  ＰＲＢとＳＳＢ  ＰＲＢとの間のオフセットに対応するオフセット値を示すインジケーションを含み得る。このインジケーションは、ＰＢＣＨ中でＲＭＳＩ  ＣＯＲＥＳＥＴ構成によって搬送した。そのような実施形態では、ＲＭＳＩ  ＣＯＲＥＳＥＴ  ＳＣＳを知ると、ＵＥは、次いで、あるＲＭＳＩ  ＣＯＲＥＳＥＴ  ＢＷおよびオフセット値にインジケーション中に含まれている情報をマッピングするために（たとえば、ハッシュ関数、ハッシュマップまたは任意の他のタイプのマッピングなどの）マッピングを使用し得る。次に、ＵＥは、（ＵＥに知られている）ＳＳＢのＰＲＢリソースのロケーションを使用し、ＲＭＳＩ  ＣＯＲＥＳＥＴ  ＰＲＢのロケーションを決定するために受信されたオフセット値を適用し得る。いくつかの実施形態では、マッピングは、表１６００に示す例示的な構成およびオフセット値に基づき得る。
【０１００】
[0130]図１６に、ＲＭＳＩ  ＳＣＳとＳＳＢ  ＳＣＳとが同じであるのか異なるのかに応じた異なるオフセット値を示す例示的な表１６００を示す。たとえば、ＲＭＳＩ  ＳＣＳ＝ＳＳＢ  ＳＣＳであり、ＲＭＳＩ  ＣＯＲＥＳＥＴ帯域幅が２４である場合、オフセット値は、−（２０＋Ｇ）、｛６，１２，１８，２４｝＋Ｇ０であり得る。そのようなオフセット値は、ＳＳＢが周波数−２０ＰＲＢとして開始し、その後ガード期間（Ｇ）が続き、その後、たとえば、６つのＰＲＢ（ＰＤＣＣＨのための制御チャネル要素（ＣＣＥ）が６つのＰＲＢである）の単位でＲＭＳＩ  ＣＯＲＥＳＥＴの２４個のＰＲＢが続くことを示し得る。ＴＤＭの例と同様に、ＦＤＭの例では、表１６００は、特定のＲＭＳＩ  ＳＣＳおよびＲＭＳＩ  ＣＯＲＥＳＥＴ  ＢＷごとに物理的に可能であるよりも少数のオフセット値を含む。したがって、ＲＭＳＩ  ＣＯＲＥＳＥＴ  ＢＷおよびオフセット値を表すためにより少数のビットが使用され得る。ＵＥは、ＲＭＳＩ  ＣＯＲＥＳＥＴ  ＢＷおよびオフセット値にＲＭＳＩ  ＣＯＲＥＳＥＴ構成中で受信されたビットをマッピングする表、ハッシュ関数などを含み得る。特に、ＲＭＳＩ  ＣＯＲＥＳＥＴ構成中で受信されたビットはオフセット値に直接対応しないことがあり、ビット値が、直接的にオフセット値でないことを意味する。
【０１０１】
[0131]周波数領域中でのＲＭＳＩ  ＣＯＲＥＳＥＴのロケーションを決定することに加えて、ＵＥは、時間領域中でのＲＭＳＩ  ＣＯＲＥＳＥＴの時間位置を決定し得る。
【０１０２】
[0132]図１７は、ワイヤレス通信のための例示的な動作１７００を示す流れ図である。動作１７００は、時間領域中でのＲＭＳＩ  ＣＯＲＥＳＥＴのロケーションを決定するために、たとえば、ＵＥ（たとえば、ＵＥ１２０）によって実行され得る。動作１７００は、１７０２において、タイプ０物理ダウンリンク制御チャネル（ＰＤＣＣＨ）共通探索空間制御リソースセット（ＣＯＲＥＳＥＴ）時間リソースへの同期信号ブロック（ＳＳＢ）時間リソースのマッピングを記憶することによって開始する。１７０４において、動作１７００は、ＳＳＢ時間リソースのインジケーションを受信することによって続く。１７０６において、動作１７００は、マッピングとインジケーションとに基づいてＲＭＳＩ  ＣＯＲＥＳＥＴ時間リソースのロケーションを決定することによって続く。１７０８において、動作１７００は、タイプ０  ＰＤＣＣＨ共通探索空間ＣＯＲＥＳＥＴ中でタイプ０  ＰＤＣＣＨを受信することによって続く。
【０１０３】
[0133]図１７Ａに、図１７に示す動作のうちの１つまたは複数など、本明細書で開示される技法のための動作を実行するように構成された（たとえば、ミーンズプラスファンクション構成要素に対応する）様々な構成要素を含み得るワイヤレス通信デバイス１７００Ａを示す。通信デバイス１７００Ａは、トランシーバ１７１２に結合された処理システム１７１４を含む。トランシーバ１７１２は、アンテナ１７１３を介して通信デバイス１７００Ａのための信号を送信および受信するように構成される。処理システム１７１４は、処理信号などの通信デバイス１７００Ａのための処理機能を実行するように構成され得る。
【０１０４】
[0134]処理システム１７１４は、バス１７２１を介してコンピュータ可読媒体／メモリ１７１１に結合されたプロセッサ１７０９を含む。いくつかの態様では、コンピュータ可読媒体／メモリ１７１１は、プロセッサ１７０９によって実行されたとき、プロセッサ１７０９に、図１１に示す動作のうちの１つもしくは複数または本明細書で説明される様々な技法を実行するための他の動作を実行させる命令を記憶するように構成される。
【０１０５】
[0135]いくつかの態様では、処理システム１７１４は、図１７中の１７０２に示す動作のうちの１つまたは複数を実行するための記憶構成要素１７２０をさらに含む。さらに、処理システム１７１４は、図１７中の１７０４に示す動作のうちの１つまたは複数を実行するための受信構成要素１７２２を含む。さらに、処理システム１７１４は、図１７中の１７０６に示す動作のうちの１つまたは複数を実行するための決定構成要素１７２４を含む。さらに、処理システム１７１４は、図１７中の１７０８に示す動作のうちの１つまたは複数を実行するための受信構成要素１７２６を含む。
【０１０６】
[0136]記憶構成要素１７２０、受信構成要素１７２２、決定構成要素１７２４、および受信構成要素１７２６は、バス１７２１を介してプロセッサ１７０９に結合され得る。いくつかの態様では、記憶構成要素１７２０、受信構成要素１７２２、決定構成要素１７２４、および受信構成要素１７２６は、ハードウェア回路であり得る。いくつかの態様では、記憶構成要素１７２０、受信構成要素１７２２、決定構成要素１７２４、および受信構成要素１７２６は、プロセッサ１７０９上で実行され、動作するソフトウェア構成要素であり得る。
【０１０７】
[0137]いくつかの実施形態では、ＲＭＳＩ  ＣＯＲＥＳＥＴは、ダウンリンクタイムスロットにマッピングされ得る。ダウンリンクスロットへのＲＭＳＩ  ＣＯＲＥＳＥＴのマッピングにより、異なる数秘学とのタイムスロットのフレキシブルな多重化、ならびにフレキシブルなアップリンク（ＵＬ）およびダウンリンク（ＤＬ）スロットスイッチングならびにタイムスロット内でのＵＬおよびＤＬスイッチングが可能になる。いくつかの実施形態では、ＤＬスロットにＲＭＳＩ  ＣＯＲＥＳＥＴをマッピングするための異なるオプションがあり得る。たとえば、いくつかの実施形態では、ＲＭＳＩ  ＣＯＲＥＳＥＴは、ＳＳＢを含んでいるダウンリンクスロットにのみマッピングされる。いくつかの実施形態では、いくつかのＳＳバーストセットパターンでは、ＲＭＳＩ  ＣＯＲＥＳＥＴは、最初に、ＳＳＢを含んでいるダウンリンクスロットにマッピングされ、次いで、ＳＳＢをもたないダウンリンクスロットにマッピングされる。いくつかの実施形態では、いくつかのＳＳバーストセットパターンでは、ＲＭＳＩ  ＣＯＲＥＳＥＴは、ＳＳＢをもたないダウンリンクスロットにのみマッピングされる。
【０１０８】
[0138]いくつかの実施形態では、ＲＭＳＩ  ＣＯＲＥＳＥＴの時間ロケーションは、ＳＳＢ時間ロケーションに対して決定され得る。たとえば、いくつかの実施形態では、ＳＳＢタイミングとＲＭＳＩ  ＣＯＲＥＳＥＴタイミングとの間に１対１のマッピングまたは多対１のマッピングがあり得る。ＵＥがＰＳＳ／ＳＳＳを検出し、ＰＢＣＨを復号すると、ＵＥは、ＲＭＳＩ  ＣＯＲＥＳＥＴのタイミングを推測できる可能性がある。
【０１０９】
[0139]いくつかの実施形態では、時間中のＲＭＳＩ  ＣＯＲＥＳＥＴロケーションは、各ＳＳＢロケーションに対して定義され得る。いくつかの実施形態では、時間中でのＲＭＳＩ  ＣＯＲＥＳＥＴロケーションは、第１のＲＭＳＩ  ＣＯＲＥＳＥＴが第１のＳＳＢにオフセットされ、後続のＲＭＳＩ  ＣＯＲＥＳＥＴがＲＭＳＩ  ＣＯＲＥＳＥＴ間で構成された距離で定義されるように定義され得る。いくつかの実施形態では、時間中のＲＭＳＩ  ＣＯＲＥＳＥＴロケーションは、ＲＭＳＩ構成テーブルの値ごとの固定ロケーションであり得る。いくつかの実施形態では、（ＳＳＢに関連する１つまたは複数のＲＭＳＩ  ＣＯＲＥＳＥＴを含んでいる）ＲＭＳＩ  ＰＤＣＣＨモニタリングウィンドウタイミングは、対応するＳＳＢタイミングに対して定義され得る。一例では、第１のＳＳＢに関連する第１のＲＭＳＩ  ＰＤＣＣＨモニタリングウィンドウの開始タイミングは、第１のＳＳＢタイミングのタイミングに対するものとなるように定義され、他のＳＳＢに関連する他のＲＭＳＩ  ＰＤＣＣＨモニタリングウィンドウのタイミングは、第１のＲＭＳＩ  ＰＤＣＣＨモニタリングウィンドウのタイミングに対するものとなるように定義される。関連するＳＳＢに対するＲＭＳＩ  ＰＤＣＣＨモニタリングウィンドウ間の相対的なタイミングは、固定されるかまたはＲＭＳＩ構成の部分としてＵＥにシグナリングされ得る。それが、ＲＭＳＩ構成中でシグナリングされる場合、それは、ＲＭＳＩ  ＣＯＲＥＳＥＴ構成などの構成中で他の情報とジョイント符号化され得る。
【０１１０】
[0140]図１８に、６ＧＨｚを下回る周波数帯域についてのＲＭＳＩタイミングロケーションとＳＳＢタイミングロケーションとの間の例示的なマッピングを含む完全な図を示すために図１８Ａ〜図１８Ｄの集合がどのように構成され得るのかを示す。言い換えれば、図１８の異なる部分が、図１８Ａ〜図１８Ｄによって示され、図１８は、図１８Ａ〜図１８Ｄが完全な図１８を作成するためにどのように隣り合わせに配置され得るのかの正しい構成を示す。
【０１１１】
[0141]ＵＥによって記憶され得るこれらのマッピングにより、ＵＥは、ＳＳＢが受信される時間シンボルに基づいてＲＭＳＩ  ＣＯＲＥＳＥＴが受信される時間シンボルを決定することが可能になる。図１８Ａ〜図１８Ｄに、異なるＳＳＢとＲＭＳＩ  ＣＯＲＥＳＥＴサブキャリア間隔（ＳＣＳ）との組合せのためのＲＭＳＩタイミングロケーションとＳＳＢタイミングロケーションとの間の異なるマッピングを示す。
【０１１２】
[0142]図１８Ａに示すマッピングの各列は、時間シンボルに対応する。たとえば、第１の列は、時間シンボル０に対応し、第２の列は、時間シンボル１に対応する。また、各行は、異なる時間シンボルにおいて受信されたＲＭＳＩ  ＣＯＲＥＳＥＴまたはＳＳＢリソースの図として示されている。１４個の時間シンボルが各タイムスロットにあるので、たとえば、行２の列０〜１３中の時間リソースの合計は、（図１８Ａおよび図１８Ｂに示す）１つのタイムスロットに対応する。ＳＳＢのＳＣＳとＲＭＳＩ  ＣＯＲＥＳＥＴとが３０ｋＨｚである別の例では、行１３の列０〜１３中で時間リソースの合計も、タイムスロットに対応する。いくつかの態様では、ＳＳＢとＲＭＳＩとのコンテンツは、本明細書における実施形態に従ってＲＭＳＩの周波数ロケーションに基づいて一緒にＦＤＭされることもできる。
【０１１３】
[0143]たとえば、ＳＳＢのＳＣＳとＲＭＳＩとが１５ｋＨｚである実施形態では、ＳＳＢ時間シンボルとＲＭＳＩ  ＣＯＲＥＳＥＴ時間シンボルとの間のマッピングは行２〜５によって示され、ここで、第２の行は、ＳＳＢ時間シンボルのロケーションを示し、行３〜５は、ＳＳＢ時間シンボルに関するＲＭＳＩ  ＣＯＲＥＳＥＴ時間シンボルのロケーションを示す。より詳細には、行３は、ＲＭＳＩ  ＣＯＲＥＳＥＴが１シンボル長であるときのＲＭＳＩ  ＣＯＲＥＳＥＴ時間シンボルとＳＳＢ時間シンボルとの間のマッピングを示す。たとえば、第２の行は、（図１８Ａ〜図１８Ｂに示す）第１のタイムスロット中にＳＳＢ時間シンボル２〜５と８〜１１とを含み、ならびに（図１８Ｂに示す）次のタイムスロット中にＳＳＢ時間シンボル２〜５と８〜９とを含む（集合的にＳＳＢブロック１８１０として示される）。
【０１１４】
[0144]ＳＳＢ  ＰＲＢ１８１０のロケーションに基づいて、ＵＥは、ＲＭＳＩ  ＣＯＲＥＳＥＴスロットのロケーションを決定し得る。たとえば、ＳＳＢのＳＣＳとＲＭＳＩ  ＣＯＲＥＳＥＴとが１５ｋＨｚである場合に、ＲＭＳＩ  ＣＯＲＥＳＥＴの持続時間が（図１８Ａの行３に示す）１シンボル長であるとき、第１のタイムスロット中の第１のＲＭＳＩ  ＣＯＲＥＳＥＴ時間シンボルのロケーションは、時間シンボル２〜５を占有する第１のＳＳＢ送信に基づき時間シンボル０である。同様に、同じタイムスロット中のＳＳＢの第２の送信が時間シンボル８〜１１を占有するとき、第２のＲＭＳＩ  ＣＯＲＥＳＥＴ時間シンボルのロケーションは時間シンボル１である。しかしながら、表の行４に示すように、ＲＭＳＩ  ＣＯＲＥＳＥＴが２シンボル長であるとき、第１のタイムスロット中のＲＭＳＩ  ＣＯＲＥＳＥＴは、時間シンボル０および１などを占有する。異なる列（３〜５）は、異なる時間または周波数における送信を暗示することを意図していない。それらは、ＲＭＳＩ  ＣＯＲＥＳＥＴが様々なシンボル長で送信され得る異なるシナリオを示すことを意味する。
【０１１５】
[0145]図１９に、６ＧＨｚを上回る周波数帯域についてのＲＭＳＩタイミングロケーションとＳＳＢタイミングロケーションとの間の例示的なマッピングを含む完全な図を示すために図１９Ａ〜図１８Ｂの集合がどのように構成され得るのかを示す。図１８と同様に、図１９のマッピングの各列は、時間シンボルに対応する。たとえば、第１の列は、時間シンボル０に対応し、第２の列は、時間シンボル１に対応する。また、各行は、異なる時間シンボルにおいて受信されたＲＭＳＩ  ＣＯＲＥＳＥＴおよびＳＳＢリソースの図として示されている。ただし、ＳＳＢとＲＭＳＩとのコンテンツは、本明細書における実施形態に従ってＲＭＳＩの周波数ロケーションに基づいて一緒にＦＤＭされることもできる。
【０１１６】
[0146]一例として、ＳＳＢのＳＣＳとＲＭＳＩとがどちらも１２０ｋＨｚである場合、ＳＳＢ時間シンボルとＲＭＳＩ  ＣＯＲＥＳＥＴ時間シンボルとの間のマッピングは、ＳＳＢリソースがＲＭＳＩ  ＣＯＲＥＳＥＴリソースとともにＦＤＭされるときについては表の行１１〜１４によって示され、ＳＳＢリソースがＲＭＳＩ  ＣＯＲＥＳＥＴリソースとともにＴＤＭされるときについては表の行１６〜１８によって示される。たとえば、ＳＳＢリソースがＲＭＳＩ  ＣＯＲＥＳＥＴリソースとともにＦＤＭされるとき、行１１は、ＳＳＢ時間シンボルのロケーションを示し、行１２〜１４は、ＳＳＢタイムスロットに関するＲＭＳＩ  ＣＯＲＥＳＥＴ時間シンボルのロケーションを示す。異なる列（１２〜１４）は、異なる時間または周波数における送信を暗示することを意図していない。それらは、ＲＭＳＩ  ＣＯＲＥＳＥＴが様々なシンボル長で送信され得る異なるシナリオを示すことを意味する。  
例示的なＯＳＩ  ＣＯＲＥＳＥＴオフセット設計
【０１１７】
[0147]ブロードキャストＯＳＩ  ＣＯＲＥＳＥＴのための周波数ロケーション、帯域幅、および数秘学などのパラメータは、対応するＲＭＳＩ  ＣＯＲＥＳＥＴのためのものと同じである。いくつかの態様では、そのようなパラメータは、ＵＥの観点からセルを定義するすべてのＳＳＢまたはＰＢＣＨブロック中にＰＢＣＨによって構成されたＲＭＳＩ  ＣＯＲＥＳＥＴに対して同じである。しかしながら、ＯＳＩ  ＣＯＲＥＳＥＴ周期がＲＭＳＩ  ＣＯＲＥＳＥＴ周期よりも長いことがあることに留意することが重要である。
【０１１８】
[0148]相応して、いくつかの実施形態では、ＵＥは、周波数および時間領域中でのＲＭＳＩ  ＣＯＲＥＳＥＴのロケーションに基づいて周波数および時間領域中でのＯＳＩ  ＣＯＲＥＳＥＴのロケーションを決定し得る。そのような実施形態では、ＯＳＩ  ＣＯＲＥＳＥＴとＲＭＳＩ  ＣＯＲＥＳＥＴとの間のタイミングオフセットは、ＵＥに（たとえば、暗黙的にまたは明示的に）シグナリングされる。暗黙的シグナリングは、ＵＥがＳＢＢ時間リソースのロケーションに基づいてＲＭＳＩ  ＣＯＲＥＳＥＴ時間リソースとＯＳＩ  ＣＯＲＥＳＥＴ時間リソースとの両方のロケーションを推測することが可能であるときに行われる。明示的シグナリングは、ＵＥがＲＭＳＩ  ＣＯＲＥＳＥＴ時間リソースのロケーションに基づいてＯＳＩ  ＣＯＲＥＳＥＴ時間リソースのロケーションを推測することが可能であるときに行われる。したがって、ＵＥは、ＲＭＳＩ  ＰＤＣＣＨを正常に取得すると、上記で説明したように、ＯＳＩ  ＰＤＣＣＨを取得するための対応するＯＳＩ  ＣＯＲＥＳＥＴタイミングを推測し得る。いくつかの実施形態では、ＯＳＩ  ＣＯＲＥＳＥＴのタイミングは、ＳＳＢタイミングに対して定義され得る。このタイミングは、ＵＥにＲＭＳＩ中でシグナリングされ得るか、または固定され得る。
【０１１９】
[0149]ネットワークは、ＵＥへのＲＭＳＩ中でＯＳＩのためのＣＯＲＥＳＥＴ構成を構成し得る。そのような構成がＵＥにシグナリングされない場合、ＵＥは、ＰＢＣＨ中でシグナリングされるＲＭＳＩのためのＣＯＲＥＳＥＴ構成を使用する。
【０１２０】
[0150]図２０は、ワイヤレス通信のための例示的な動作２０００を示す流れ図である。動作２０００は、ＯＳＩ  ＣＯＲＥＳＥＴ周波数リソースのロケーションを決定するために、たとえば、ＵＥ（たとえば、ＵＥ１２０）によって実行され得る。動作２０００は、２００２において、物理ダウンリンク共有チャネル（ＰＤＳＣＨ）中でのタイプ０物理ダウンリンク制御チャネル（ＰＤＣＣＨ）共通探索空間制御リソースセット（ＣＯＲＥＳＥＴ）の周波数ロケーションを決定することによって開始する。２００４において、動作２０００は、タイプ０  ＰＤＣＣＨ共通探索空間ＣＯＲＥＳＥＴの周波数ロケーションに基づいてＰＤＳＣＨ中でのタイプ０ａ物理ダウンリンク制御共通探索空間ＣＯＲＥＳＥＴの周波数ロケーションを決定することによって続く。２００６において、動作２０００は、タイプ０ａ  ＰＤＣＣＨ共通探索空間ＣＯＲＥＳＥＴを受信することによって続く。
【０１２１】
[0151]図２０Ａに、図２０に示す動作のうちの１つまたは複数など、本明細書で開示される技法のための動作を実行するように構成された（たとえば、ミーンズプラスファンクション構成要素に対応する）様々な構成要素を含み得るワイヤレス通信デバイス２０００Ａを示す。通信デバイス２０００Ａは、トランシーバ２０１２に結合された処理システム２０１４を含む。トランシーバ２０１２は、アンテナ２０１３を介して通信デバイス２０００Ａのための信号を送信および受信するように構成される。処理システム２０１４は、処理信号などの通信デバイス２０００Ａのための処理機能を実行するように構成され得る。
【０１２２】
[0152]処理システム２０１４は、バス２０２１を介してコンピュータ可読媒体／メモリ２０１１に結合されたプロセッサ２００９を含む。いくつかの態様では、コンピュータ可読媒体／メモリ２０１１は、プロセッサ２００９によって実行されたとき、プロセッサ２００９に、図２０に示す動作のうちの１つもしくは複数または本明細書で説明される様々な技法を実行するための他の動作を実行させる命令を記憶するように構成される。
【０１２３】
[0153]いくつかの態様では、処理システム２０１４は、図２０中の２００２に示す動作のうちの１つまたは複数を実行するための決定構成要素２０２０をさらに含む。さらに、処理システム２０１４は、図２０中の２００４に示す動作のうちの１つまたは複数を実行するための決定構成要素２０２２を含む。さらに、処理システム２０１４は、図２０中の２００６に示す動作のうちの１つまたは複数を実行するための受信構成要素２０２４を含む。
【０１２４】
[0154]決定構成要素２０２０、決定構成要素２０２２、および受信構成要素２０２４は、バス２０２１を介してプロセッサ２００９に結合され得る。いくつかの態様では、決定構成要素２０２０、決定構成要素２０２２、および受信構成要素２０２４は、ハードウェア回路であり得る。いくつかの態様では、決定構成要素２０２０、決定構成要素２０２２、および受信構成要素２０２４は、プロセッサ２００９上で実行され、動作するソフトウェア構成要素であり得る。
【０１２５】
[0155]図２１は、ワイヤレス通信のための例示的な動作２１００を示す流れ図である。動作２０００は、ＯＳＩ  ＣＯＲＥＳＥＴ時間リソースのロケーションを決定するために、たとえば、ＵＥ（たとえば、ＵＥ１２０）によって実行され得る。動作２０００は、２００２において、物理ダウンリンク共有チャネル（ＰＤＳＣＨ）中での残存最小システム情報（ＲＭＳＩ）制御リソースセット（ＣＯＲＥＳＥＴ）の時間ロケーションを決定することによって開始する。２００４において、動作２０００は、ＲＭＳＩ  ＣＯＲＥＳＥＴの時間および周波数ロケーションに基づいてＰＤＳＣＨ中の他のシステム情報（ＯＳＩ）ＣＯＲＥＳＥＴの時間ロケーションを決定することによって続く。２００６において、動作２０００は、ＯＳＩを受信することによって続く。
【０１２６】
[0156]図２１Ａに、図２１に示す動作のうちの１つまたは複数など、本明細書で開示される技法のための動作を実行するように構成された（たとえば、ミーンズプラスファンクション構成要素に対応する）様々な構成要素を含み得るワイヤレス通信デバイス２１００Ａを示す。通信デバイス２１００Ａは、トランシーバ２１１２に結合された処理システム２１１４を含む。トランシーバ２１１２は、アンテナ２１１３を介して通信デバイス２１００Ａのための信号を送信および受信するように構成される。処理システム２１１４は、処理信号などの通信デバイス２１００Ａのための処理機能を実行するように構成され得る。
【０１２７】
[0157]処理システム２１１４は、バス２１２１を介してコンピュータ可読媒体／メモリ２１１１に結合されたプロセッサ２１０９を含む。いくつかの態様では、コンピュータ可読媒体／メモリ２１１１は、プロセッサ２１０９によって実行されたとき、プロセッサ２１０９に、図２１に示す動作のうちの１つもしくは複数または本明細書で説明される様々な技法を実行するための他の動作を実行させる命令を記憶するように構成される。
【０１２８】
[0158]いくつかの態様では、処理システム２１１４は、図２１中の２１０２に示す動作のうちの１つまたは複数を実行するための決定構成要素２１２０をさらに含む。さらに、処理システム２１１４は、図２１中の２１０４に示す動作のうちの１つまたは複数を実行するための決定構成要素２１２２を含む。さらに、処理システム２１１４は、図２１中の２１０６に示す動作のうちの１つまたは複数を実行するための受信構成要素２１２４を含む。
【０１２９】
[0159]決定構成要素２１２０、決定構成要素２１２２、および受信構成要素２１２４は、バス２１２１を介してプロセッサ２１０９に結合され得る。いくつかの態様では、決定構成要素２１２０、決定構成要素２１２２、および受信構成要素２１２４は、ハードウェア回路であり得る。いくつかの態様では、決定構成要素２１２０、決定構成要素２１２２、および受信構成要素２１２４は、プロセッサ２１０９上で実行され、動作するソフトウェア構成要素であり得る。
【０１３０】
[0160]上記で説明した実施形態は、ＵＥによって実行される動作に関係した。しかしながら、図２２は、基地局によって実行される動作について説明する。
【０１３１】
[0161]図２２は、ワイヤレス通信のための例示的な動作２２００を示す流れ図である。動作２２００は、たとえば、ＢＳ（たとえば、ＢＳ１１０）によって実行され得る。動作２２００は、２２０２において、ユーザ機器に同期信号ブロック（ＳＳＢ）を送信すること、ＳＳＢが、タイプ０物理的ダウンリンク制御チャネル（ＰＤＣＣＨ）共通探索空間制御リソースセット（ＣＯＲＥＳＥＴ）構成と物理リソースブロック（ＰＲＢ）グリッドオフセットとを有する物理ブロードキャストチャネル（ＰＢＣＨ）を備え、タイプ０  ＰＤＣＣＨ共通探索空間ＣＯＲＥＳＥＴ構成が、ＳＳＢのＰＲＢの周波数ロケーションに対するタイプ０  ＰＤＣＣＨ共通探索空間ＣＯＲＥＳＥＴリソースブロック（ＰＲＢ）の周波数ロケーションに関係する１つまたは複数のオフセットに対応する１つまたは複数のオフセット値を示すインジケーションを備える、を行うことによって開始する。２２０４において、動作２０００は、ＵＥによる受信のためにタイプ０  ＰＤＣＣＨ共通探索空間ＣＯＲＥＳＥＴ中でタイプ０  ＰＤＣＣＨを送信することによって続く。
【０１３２】
[0162]図２２Ａに、図２２に示す動作のうちの１つまたは複数など、本明細書で開示される技法のための動作を実行するように構成された（たとえば、ミーンズプラスファンクション構成要素に対応する）様々な構成要素を含み得るワイヤレス通信デバイス２２００Ａを示す。通信デバイス２２００Ａは、トランシーバ２２１２に結合された処理システム２２１４を含む。トランシーバ２２１２は、アンテナ２２１３を介して通信デバイス２２００Ａのための信号を送信および受信するように構成される。処理システム２２１４は、処理信号などの通信デバイス２２００Ａのための処理機能を実行するように構成され得る。
【０１３３】
[0163]処理システム２２１４は、バス２２２１を介してコンピュータ可読媒体／メモリ２２１１に結合されたプロセッサ２２０９を含む。いくつかの態様では、コンピュータ可読媒体／メモリ２２１１は、プロセッサ２２０９によって実行されたとき、プロセッサ２２０９に、図２２に示す動作のうちの１つもしくは複数または本明細書で説明される様々な技法を実行するための他の動作を実行させる命令を記憶するように構成される。
【０１３４】
[0164]いくつかの態様では、処理システム２２１４は、図２２中の２２０２および２２０４に示す動作のうちの１つまたは複数を実行するための送信構成要素２２２０をさらに含む。
【０１３５】
[0165]送信構成要素２２２０は、バス２２２１を介してプロセッサ２２０９に結合され得る。いくつかの態様では、送信構成要素２２２０は、ハードウェア回路であり得る。いくつかの態様では送信構成要素２２２０は、プロセッサ２２０９上で実行され、動作するソフトウェア構成要素であり得る。
【０１３６】
[0166]本明細書で開示された方法は、記載された方法を実現するための１つまたは複数のステップまたはアクションを備える。方法のステップおよび／またはアクションは、特許請求の範囲から逸脱することなく互いに交換され得る。言い換えれば、ステップまたはアクションの特定の順序が指定されていない限り、特定のステップおよび／またはアクションの順序および／または使用は、特許請求の範囲から逸脱することなく修正され得る。
【０１３７】
[0167]本明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素を用いた任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【０１３８】
[0168]本明細書で使用される「決定すること」という用語は、多種多様なアクションを包含する。たとえば、「決定すること」は、計算すること、算出すること、処理すること、導出すること、調査すること、探索すること（たとえば、テーブル、データベース、または別のデータ構造の中で探索すること）、確認することなどを含み得る。また、「決定すること」は、受信すること（たとえば、情報を受信すること）、アクセスすること（たとえば、メモリ中のデータにアクセスすること）などを含み得る。さらに、「決定すること」は、解決すること、選択すること、選ぶこと、確立することなどを含み得る。
【０１３９】
[0169]以上の説明は、当業者が本明細書で説明される様々な態様を実施できるようにするために提供されたものである。これらの態様に対する様々な改変は当業者には容易に明らかであり、本明細書で定義される一般的原理は他の態様に適用され得る。したがって、特許請求の範囲は、本明細書で示した態様に限定されるものではなく、クレーム文言に一致する最大の範囲が与えられるべきであり、単数形での要素への言及は、そのように明記されていない限り、「唯一無二の」を意味するものではなく、「１つまたは複数の」を意味するものである。別段に明記されていない限り、「いくつかの」という用語は１つまたは複数を指す。当業者に知られている、または後に知られることになる、本開示全体にわたって説明される様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に記載されているかどうかにかかわらず、公に供するものではない。いかなる特許請求の範囲の要素も、その要素が「ための手段」という句を用いて明示的に列挙されていない限り、または方法クレームの場合、その要素が「ためのステップ」という句を用いて列挙されていない限り、米国特許法第１１２条第６段落の規定の下で解釈されるべきではない。
【０１４０】
[0170]上記で説明された方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。一般に、図に示されている動作がある場合、それらの動作は、同様の番号をもつ対応するカウンターパートのミーンズプラスファンクション構成要素を有し得る。
【０１４１】
[0171]本開示に関連して説明される様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス（ＰＬＤ）、個別ゲートもしくはトランジスタ論理、個別ハードウェア構成要素、または本明細書で説明される機能を実施するように設計されたそれらの任意の組合せを用いて実装または実施され得る。汎用プロセッサは、マイクロプロセッサであり得るが、代替的に、プロセッサは、任意の市販されているプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成として実装され得る。
【０１４２】
[0172]ハードウェアで実装される場合、例示的なハードウェア構成は、ワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実装するために使用され得る。ユーザ端末１２０（図１参照）の場合、ユーザインターフェース（たとえば、キーパッド、ディスプレイ、マウス、ジョイスティックなど）もバスに接続され得る。バスはまた、タイミングソース、周辺機器、電圧調整器、電力管理回路などの様々な他の回路をリンクし得るが、それらは当技術分野でよく知られており、したがってこれ以上説明されない。プロセッサは、１つまたは複数の汎用および／または専用プロセッサを用いて実装され得る。例は、マイクロプロセッサと、マイクロコントローラと、ＤＳＰプロセッサと、ソフトウェアを実行することができる他の回路とを含む。当業者は、特定の適用例と、全体的なシステムに課される全体的な設計制約とに応じて、どのようにしたら処理システムについて説明された機能を最も良く実装し得るかを認識されよう。
【０１４３】
[0173]ソフトウェアで実装される場合、機能は、１つまたは複数の命令またはコードとしてコンピュータ可読媒体上に記憶されるか、あるいはコンピュータ可読媒体を介して送信され得る。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。コンピュータ可読媒体は、ある場所から別の場所へのコンピュータプログラムの転送を容易にする任意の媒体を含む、コンピュータ記憶媒体と通信媒体の両方を含む。プロセッサは、機械可読記憶媒体に記憶されたソフトウェアモジュールの実行を含む、バスおよび一般的な処理を管理することを担当し得る。コンピュータ可読記憶媒体は、プロセッサがその記憶媒体から情報を読み取ることができ、その記憶媒体に情報を書き込むことができるように、プロセッサに結合され得る。代替として、記憶媒体はプロセッサに一体化され得る。例として、機械可読媒体は、すべてがバスインターフェースを介してプロセッサによってアクセスされ得る、伝送線路、データによって変調された搬送波、および／またはワイヤレスノードとは別個の命令をその上に記憶したコンピュータ可読記憶媒体を含み得る。代替的に、または追加として、機械可読媒体またはその任意の部分は、キャッシュおよび／または汎用レジスタファイルがそうであり得るように、プロセッサに統合され得る。機械可読記憶媒体の例は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（登録商標）（電気消去可能プログラマブル読取り専用メモリ）、レジスタ、磁気ディスク、光ディスク、ハードドライブ、もしくは他の好適な記憶媒体、またはそれらの任意の組合せを含み得る。機械可読媒体はコンピュータプログラム製品において実施され得る。
【０１４４】
[0174]ソフトウェアモジュールは、単一の命令、または多くの命令を備え得、いくつかの異なるコードセグメント上で、異なるプログラム間で、および複数の記憶媒体にわたって分散され得る。コンピュータ可読媒体はいくつかのソフトウェアモジュールを備え得る。ソフトウェアモジュールは、プロセッサなどの装置によって実行されたときに、処理システムに様々な機能を実行させる命令を含む。ソフトウェアモジュールは、送信モジュールと受信モジュールとを含み得る。各ソフトウェアモジュールは、単一の記憶デバイス中に常駐するか、または複数のストレージデバイスにわたって分散され得る。例として、トリガイベントが発生したとき、ソフトウェアモジュールがハードドライブからＲＡＭにロードされ得る。ソフトウェアモジュールの実行中に、プロセッサは、アクセス速度を高めるために、命令のうちのいくつかをキャッシュにロードし得る。次いで、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行するとき、プロセッサによって実装されることが理解されよう。
【０１４５】
[0175]また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、他の態様では、コンピュータ可読媒体は、一時的コンピュータ可読媒体（たとえば、信号）を備え得る。上記の組合せもコンピュータ可読媒体の範囲内に含まれるべきである。
【０１４６】
[0176]したがって、いくつかの態様は、本明細書で提示された動作を実施するためのコンピュータプログラム製品を備え得る。たとえば、そのようなコンピュータプログラム製品は、本明細書で説明された動作を実行するために１つまたは複数のプロセッサによって実行可能である命令をその上に記憶した（および／または符号化した）コンピュータ可読媒体を備え得る。たとえば、命令は、フォー、本明細書で説明され、図１１、図１７、および図２０に示されている動作を実行する。
【０１４７】
[0177]さらに、本明細書に記載された方法および技法を実行するためのモジュールおよび／または他の適切な手段は、適用可能な場合、ユーザ端末および／または基地局によってダウンロードされ、および／またはさもなければ取得され得ることを諒解されたい。たとえば、そのようなデバイスは、本明細書に記載された方法を実行するための手段の転送を容易にするために、サーバに結合され得る。代替として、本明細書に記載された様々な方法は、ユーザ端末および／または基地局が記憶手段をデバイスに結合するかまたは提供すると様々な方法を取得することができるように、記憶手段（たとえば、ＲＡＭ、ＲＯＭ、コンパクトディスク（ＣＤ）またはフロッピーディスクなどの物理記憶媒体）を介して提供され得る。さらに、本明細書に記載された方法および技法をデバイスに提供するための任意の他の適切な技法が利用され得る。
【０１４８】
[0178]特許請求の範囲は、上記に示された厳密な構成および構成要素に限定されないことを理解されたい。上記で説明された方法および装置の構成、動作および詳細において、特許請求の範囲から逸脱することなく、様々な改変、変更および変形が行われ得る。
【図１】
2021503785.tif 000003
【図２】
2021503785.tif 000004
【図３】
2021503785.tif 000005
【図４】
2021503785.tif 000006
【図５】
2021503785.tif 000007
【図６】
2021503785.tif 000008
【図７】
2021503785.tif 000009
【図８】
2021503785.tif 000010
【図９】
2021503785.tif 000011
【図１０】
2021503785.tif 000012
【図１１】
2021503785.tif 000013
【図１１Ａ】
2021503785.tif 000014
【図１２Ａ】
2021503785.tif 000015
【図１２Ｂ】
2021503785.tif 000016
【図１２Ｃ】
2021503785.tif 000017
【図１３】
2021503785.tif 000018
【図１４】
2021503785.tif 000019
【図１５】
2021503785.tif 000020
【図１６】
2021503785.tif 000021
【図１７】
2021503785.tif 000022
【図１７Ａ】
2021503785.tif 000023
【図１８】
2021503785.tif 000024
【図１８Ａ】
2021503785.tif 000025
【図１８Ｂ】
2021503785.tif 000026
【図１８Ｃ】
2021503785.tif 000027
【図１８Ｄ】
2021503785.tif 000028
【図１９】
2021503785.tif 000029
【図１９Ａ】
2021503785.tif 000030
【図１９Ｂ】
2021503785.tif 000031
【図２０】
2021503785.tif 000032
【図２０Ａ】
2021503785.tif 000033
【図２１】
2021503785.tif 000034
【図２１Ａ】
2021503785.tif 000035
【図２２】
2021503785.tif 000036
【図２２Ａ】
2021503785.tif 000037
【国際調査報告】
2021503785.tif 000038
2021503785.tif 000039